(57)【要約】【課題】新聞等アナログ的メディア媒体による情報公開に対し、インターネットを介し主催者側からの反応情報蒐集を行う他、ネット上で効果的なコミュニケーションを可能にする事により、適格な行政や企業等の運営を可能にする。【解決手段】新聞・雑誌・テレビ・ラジオ放送等のアナログメディア媒体、又はインターネットの電子掲示板等のデジタルメディア媒体を介し主催者側の情報提供を行うと共に、情報に反応した会員の意見・情報・質問等の情報を主催者側がインターネットを介して電子的に蒐集するようにし、また前記メディア媒体による主催者側情報には、情報毎に各々個別に固有識別符号を付すと共に、主催者側コンピュータシステムには、会員がアクセス可能であって、会員から固有識別符号を付して寄せられた反応情報を蓄積可能とした。これにより主催者側において経営や行政等に会員の意思を十分反映し、会員間の率的な綜合的コミュニケーションをはかる。【選択図】図１
2004094942.tif 000002
【特許請求の範囲】
【請求項１】
新聞・雑誌・書籍・テレビあるいはラジオ放送等のアナログメディア媒体を利用して主催者側の情報提供をおこなうとともに、これらの情報に反応した会員の意見・情報・質問等の反応情報を主催者側がインターネットを介してコンピュータシステムにより電子的に蒐集することができるようにしたコミュニケーションシステムであって、前記メディア媒体による主催者側情報には、各情報毎にそれぞれ個別にキーとなる固有識別符号を付すとともに、主催者側コンピュータシステムには、会員がアクセス可能であって、会員から固有識別符号を付して寄せられた反応情報を蓄積可能としたコミュニケーションシステム。
【請求項２】
電子メール、ホームページ、ＣＤ、ＭＰＥＧ（画像）、静止画等のデジタルメディア媒体を使用して主催者側の情報提供をおこなうとともに、これらの情報に反応した会員の意見・情報・質問等の反応情報を主催者側がインターネットを介してコンピュータシステムにより電子的に蒐集するようにしたコミュニケーションシステムであって、前記メディア媒体による主催者側情報には、各情報毎にそれぞれ個別にキーとなる固有識別符号を付すとともに、主催者側コンピュータシステムには、会員がアクセス可能であって、会員から固有識別符号を付して寄せられた反応情報を蓄積可能としたコミュニケーションシステム。
【請求項３】
書籍による主催者側情報には、各情報毎にそれぞれ個別にキーとなる固有識別符号を付すとともに、会員がネット上で固有識別符合を入力することにより、上記書籍に書かれている最新の情報を引き出すことができるようにしたコミュニケーションシステム。
【請求項４】
書籍・雑誌・新聞等の主催者側アナログメディア媒体に、予め質問事項とキーとなる固有識別記号を付与しておくとともに、ユーザがネットの上記主催者側ホームページ上において、上記固有識別記号を入力し、さらに書籍等を見ながら順次回答を入力することにより、主催者側がネット上においてユーザ側の回答を集計できるようにしたコミュニケーションシステム。
【請求項５】
ユーザ側回答の集計が、回答に対する主催者側からの評価の通知を含むものであるところの請求項４に記載のコミュニケーションシステム。
【請求項６】
書籍・雑誌・新聞等の主催者側アナログメディア媒体に付与された固有識別符号をＰＣ上で入力することにより、アナログメディア媒体の特定箇所の記事内容ないしは要約または題名がＰＣ上で表示されるようにした請求項１〜４のいずれか１に記載のコミュニケーションシステム。
【請求項７】
サーバのＵＲＬをＨＰに貼り付けてリンクを張ることにより、該ＨＰを特定して利用者から情報を集める機能を有するものであるところの請求項１〜６のいずれか１に記載のコミュニケーションシステム。
【請求項８】
ドメインの後に固有識別符号を入力することにより、そのページに関する入力画面にジャンプする機能を有するものであるところの請求項１〜６のいずれか１に記載のコミュニケーションシステム。
【請求項９】
インターネットを介して多数の会員のパソコン端末と、それぞれ接続可能な固有のデータベースを備えた主催者側のコンピュータシステムであって、該コンピュータシステムには、会員がアクセス可能なＷｅｂアプリケーションサーバーを有し、しかも該Ｗｅｂアプリケーションサーバーには、主催者の開示情報をカテゴリー別に掲載開示するＷｅｂ掲示板システムと、該Ｗｅｂ掲示板システムの掲示板を、インターネットを介してあらかじめ登録されている会員宛に電子的にメール送信するメーリングリスト機能を有したコミュニケーションシステム。
【請求項１０】
主催者側コンピュータシステムには、会員がアクセス可能なＷｅｂアプリケーションサーバーを有し、しかも該Ｗｅｂアプリケーションサーバーには、会員から固有識別符号を付して寄せられた反応情報を、各固有識別符号をもとに種々検索・編集可能な機能が組み込まれていることを特徴とした請求項１〜４および９のいずれか１に記載のコミュニケーションシステム。
【請求項１１】
任意の単語を入力することにより、これに対応する同義語、反義語、狭義語、広義語、関連語、外国語が表示されるようにした検索システム。
【請求項１２】
任意の単語を入力することにより、これに対応する同義語、反義語、狭義語、広義語、関連語、外国語が表示される検索手段を有するところの請求項１〜１０のいずれか１に記載のコミュニケーションシステム。
【請求項１３】
予め検索条件毎にポイント点数を付加するとともに、検索条件からずれる毎にポイントが加算されされるようにし、ポイント点数の合計があらかじめ定めた一定点数以下である場合に、検索結果が検索一覧に表示されるようにした検索システム。
【請求項１４】
予め検索条件毎にポイント点数を付加するとともに、検索条件からずれる毎にポイントが加算されされるようにし、ポイント点数の合計があらかじめ定めた一定点数以下である場合に、検索結果が検索一覧に表示される検索システムを備えるものである請求項１〜１０のいずれか１に記載のコミュニケーションシステム。
【請求項１５】
ドメインの後にカテゴリ識別符号を入力することにより、そのカテゴリに属する投稿記事が表示される機能を備えたものであるところの請求項１〜１０のいずれか１に記載のコミュニケーションシステム。
【請求項１６】
主催者側コンピュータシステムに蓄積された会員からの反応情報を検索する場合において、検索対象の予め定めたキーワード出現個数により検索するようにした情報検索システム。
【請求項１７】
主催者側コンピュータシステムに蓄積された会員からの反応情報を検索する場合において、検索対象の予め定めたキーワード出現個数により検索するようにした情報検索システムを組み込んでなる請求項１〜１０のいずれか１に記載のコミュニケーションシステム。
【請求項１８】
主催者側コンピュータシステムに蓄積された会員からの反応情報を検索する場合において、検索対象の予め定めた範囲の投稿文字数により検索するようにした情報検索システム。
【請求項１９】
主催者側コンピュータシステムに蓄積された会員からの反応情報を検索する場合において、検索対象の予め定めた範囲の投稿文字数により検索するようにした情報検索システムを組み込んでなる請求項１〜１０のいずれか１に記載のコミュニケーションシステム。
【請求項２０】
主催者側コンピュータシステムに蓄積された会員からの反応情報を検索する場合において、予め定めた範囲の一文または１段落の文字数の平均により検索するようにした情報検索システム。
【請求項２１】
主催者側コンピュータシステムに蓄積された会員からの反応情報を検索する場合において、予め定めた範囲の一文または１段落の文字数の平均により検索するようにした情報検索システムを組み込んでなる請求項１〜１０のいずれか１に記載のコミュニケーションシステム。
【請求項２２】
主催者側コンピュータシステムに蓄積された会員からの反応情報を検索する場合において、予め定めた文法の相違例がある文章を検索対象から除外するようにした情報検索システム。
【請求項２３】
主催者側コンピュータシステムに蓄積された会員からの反応情報を検索する場合において、予め定めた文法の相違例がある文章を検索対象から除外するようにした情報検索システムを組み込んでなる請求項１〜１０のいずれか１に記載のコミュニケーションシステム。
【請求項２４】
主催者側コンピュータシステムに蓄積された会員からの反応情報を検索表示させる場合において、Ｗｅｂアプリケーションサーバーには蓄積反応情報を異国語に翻訳する自動翻訳機能を組み込んでなる情報検索システム。
【請求項２５】
主催者側コンピュータシステムに蓄積された会員からの反応情報を検索表示させる場合において、Ｗｅｂアプリケーションサーバーには蓄積反応情報を異国語に翻訳する自動翻訳機能を組み込んでなる情報検索システムを備えてなる請求項１〜１０のいずれか１に記載のコミュニケーションシステム。
【請求項２６】
主催者側コンピュータシステムに蓄積された会員からの反応情報を検索する場合において、Ｗｅｂアプリケーションサーバーには蓄積反応情報中の難解文字・難解文章に対応した辞書機能を備えてなる情報検索システム。
【請求項２７】
主催者側コンピュータシステムに蓄積された会員からの反応情報を検索する場合において、Ｗｅｂアプリケーションサーバーには蓄積反応情報中の難解文字・難解文章に対応した辞書機能を備えてなる情報検索システムを組み込んだコミュニケーションシステム。
【請求項２８】
ネット上に公開された情報の中から共感する記事内容のプロジェクト、記事の投稿者ないしはサーバの管理者に対して会員が寄付をすることができるよう、Ｗｅｂアプリケーションサーバーに決済の機能を備えたことを特徴とするコミュニケーションシステム。
【請求項２９】
ネット上に公開された情報の中から共感する記事内容のプロジェクト、記事の投稿者ないしはサーバの管理者に対して寄付をする場合に、寄付をする記事を特定できるようにした請求項２８に記載のコミュニケーションシステム。
【請求項３０】
主催者のコンピュータシステムにおけるＷｅｂアプリケーションサーバーには、会員登録により会員に対し、ＩＤおよびパスワードを付与する機能を備えたものであるところの請求項１〜３のいずれか１に記載のコミュニケーションシステム。
【請求項３１】
雑誌・書籍等の情報媒体を、ＰＣ上におけるサービス利用料に相当する課金分を含めた価格で販売するとともに、該情報媒体に、あらかじめ夫々固有識別符号を付与しておき、購入者がＰＣ上において上記固有識別記号を入力して情報媒体販売者からのサービスを利用するようにしたコミュニケーションシステム。
【請求項３２】
主催者側のＷｅｂアプリケーションサーバーには、会員から固有識別符号を付して寄せられた反応情報を、各固有識別符号をもとに種々検索・編集できるようにするとともに、編集後の反応情報につき、あらかじめ会員が登録しておいた条件に一致する情報のみを会員宛に自動メール送信することができるメーリングリスト機能を組み込んであるところの請求項１〜４のいずれか１に記載のコミュニケーションシステム。
【請求項３３】
主催者側のＷｅｂアプリケーションサーバーに投稿された過去の会員からの情報を、会員が自らのＩＤとＰａｓｓｗｏｒｄを入力することにより一覧表示・修正可能とし、しかも修正分を含めた過去の会員からの情報内容を修正履歴として残存させることができるようにしたコミュニケーションシステム。
【請求項３４】
固有識別符号を付して寄せられた会員からの反応情報につき、その全部又は選択された一部に対して主催者側の意見を会員宛に送信することができるようにしたことを特徴とする請求項１〜４のいずれか１に記載のコミュニケーションシステム。
【請求項３５】
主催者側のＷｅｂアプリケーションサーバー電子掲示板に投稿する場合において、投稿内容を複数ブロックに分けて登録することができるようにした請求項１〜
４および９のいずれか１に記載のコミュニケーションシステム。
【請求項３６】
主催者側のＷｅｂアプリケーションサーバー電子掲示板に投稿する場合において、投稿内容には画像を添付して掲示板に貼り付ける機能を付加してなる請求項１〜４および９のいずれか１に記載のコミュニケーションシステム。
【請求項３７】
主催者側のＷｅｂアプリケーションサーバー電子掲示板に投稿する場合において、投稿内容には動画、ＷＯＲＤやパワーポイント、音楽関係などの添付ファイルを貼り付けることができるようにした請求項１〜４および９のいずれか１に記載のコミュニケーションシステム。
【請求項３８】
主催者側は、会員に付与した固有識別記号やＩＤの登録後、これとは別に会員自身の設定した範囲外では内容変更不能な１又は複数個の代理人用ＩＤ（パスワード）を発行して代理人による投稿を可能とした請求項１〜４および９のいずれか１に記載のコミュニケーションシステム。
【請求項３９】
主催者側のＷｅｂアプリケーションサーバーには、電子掲示板の投稿情報を１日・１週間・１ヶ月などの時間単位ないしは、１０件・１００件などの件数単位でまとめて会員宛にメールで送るサービス機能を付加してなる請求項１〜４または９のいずれか１に記載のコミュニケーションシステム。
【請求項４０】
主催者側のＷｅｂアプリケーションサーバーには、該サーバーに登録されたメーリングリストのＵＲＬおよび固有識別符号とを電子掲示板とリンクさせて付加することにより、メールで編集されて送られてきた会員からの反応情報に対して、メーリングリストのＵＲＬと固有識別符号をクリックすることにより、直ちに該当する議論の行われている掲示板にアクセスして会議室での話題情報や議論に参加し、また当該特定会員宛に返信する機能を有することを特徴とした請求項１〜９のいずれか１に記載のコミュニケーションシステム。
【請求項４１】
主催者側のＷｅｂアプリケーションサーバーには、会員からの電子掲示板に対する各固有識別符号付きの投稿内容の検索結果を印刷する機能を有するものである請求項１〜９のいずれか１に記載のコミュニケーションシステム。
【請求項４２】
主催者側のＷｅｂアプリケーションサーバーには、固有識別符号を付して任意に投稿可能な機能と、該投稿に関し、予め登録された特定の会員のみが上記固有識別符号を附して反応情報を書き込むことが可能な機能とを付加してあるところの請求項１〜９に記載のウエブコミュニケーションシステム。
【請求項４３】
主催者側のＷｅｂアプリケーションサーバーには、郵便番号を利用して地域別に意見情報を表示する機能を有することを特徴とする請求項１〜９のいずれか１に記載のコミュニケーションシステム。
【請求項４４】
主催者側のＷｅｂアプリケーションサーバーには、固有識別符号を付して寄せられた会員からの反応情報を、各固有識別符号をもとに種々検索・編集するとともに、編集後の反応情報につき、その全部又は選択された一部を出力（ファイル出力、印刷出力）する機能を有するものであるところの請求項１〜９のいずれか１に記載のウエブコミュニケーションシステム。
【請求項４５】
主催者側のＷｅｂアプリケーションサーバーには、電子掲示板への投稿別に投稿者の氏名・年齢・住所を一覧表示する機能を備えているところの請求項１〜９のいずれか１に記載のウエブコミュニケーションシステム。
【請求項４６】
主催者側のＷｅｂアプリケーションサーバーには、会員からの反応情報を、転送履歴を残しつつ他のサーバー宛に手動ないしは自動で転送する機能を備えたところの請求項１〜９のいずれか１に記載のコミュニケーションシステム。
【請求項４７】
主催者側のＷｅｂアプリケーションサーバーには、電子掲示板の会員からの投稿のうち、主催者側の判断で履歴を残しつつ削除又は別カテゴリに移動する機能を備えたことを特徴とする請求項１〜９のいずれか１に記載のコミュニケーションシステム。
【請求項４８】
主催者側のＷｅｂアプリケーションサーバーには、電子掲示板の会員からの情報について主催者側と会員との間で取り扱い区分の異なる複数のカテゴリ分けができ、必要に応じてこれらのカテゴリ分けを変化させることが可能な機能を有するものであるところの請求項１〜９のいずれか１に記載のコミュニケーションシステム。
【請求項４９】
主催者側のＷｅｂアプリケーションサーバーには、電子掲示板に対する会員からの情報中に、１又は複数の引用元情報をブロック単位で表示する機能を付加したものである請求項１〜９のいずれか１に記載のコミュニケーションシステム。
【請求項５０】
主催者側のＷｅｂアプリケーションサーバーには、不正投稿を自動チェックして不正一覧を作成する機能を有するところの請求項１〜９および４９のいずれか１に記載のコミュニケーションシステム。
【請求項５１】
主催者側のＷｅｂアプリケーションサーバーには、会員に対し、発言者及び発言順番を指定し、あるいは会員毎に発言できる数を設定する機能を有するものである請求項１〜９のいずれか１に記載のコミュニケーションシステム。
【請求項５２】
主催者側のＷｅｂアプリケーションサーバーには、掲示板の議論に参加して欲しい人に議論の内容を添付してお誘いメールを送ることができる機能を備えたものであるところの請求項１〜９のいずれか１に記載のコミュニケーションシステム。
【請求項５３】
主催者側のＷｅｂアプリケーションサーバーには、電子掲示板への投稿内容に対して時間を区切った会員からの賛成・反対の投票を待ち、投票結果があらかじめ設定した一定の条件に一致した場合、あるいは特定の人が許可した場合にのみ、投稿内容を別サーバ・別カテゴリに自動転送する機能を備えたことを特徴とする請求項１〜９のいずれか１に記載のコミュニケーションシステム。
【請求項５４】
主催者側のＷｅｂアプリケーションサーバーには、電子掲示板の検索結果をＰＤＦ形式にて出力する機能を備えるものである請求項１〜９のいずれか１に記載のコミュニケーションシステム。
【請求項５５】
主催者側のＷｅｂアプリケーションサーバーには、電子掲示板の検索結果をＨＴＭＬ形式・ＸＭＬ形式・XHTML形式にて出力する機能を備えるものである請求項１〜９のいずれか１に記載のコミュニケーションシステム。
【請求項５６】
主催者側のＷｅｂアプリケーションサーバーには、掲示板の投稿に関して閲覧者数を記録することができる機能を有するものである請求項１〜９のいずれか１に記載のコミュニケーションシステム。
【請求項５７】
主催者側のＷｅｂアプリケーションサーバーには、掲示板への投稿情報に関して管理者ないしは会員が投稿内容を評価してランク付けできる機能を有するものである請求項１〜９のいずれか１に記載のコミュニケーションシステム。
【請求項５８】
主催者側のＷｅｂアプリケーションサーバーには、掲示板への投稿情報に対し、会員が投票し、投票数の多い順番に表示させる機能を備えるものである請求項１〜９のいずれか１に記載のコミュニケーションシステム。
【請求項５９】
主催者側のＷｅｂアプリケーションサーバーには、ドメインにカテゴリ識別番号を付加したＵＲＬを入力させることにより、ＨＰにリンクした際、カテゴリに該当する投稿内容が表示される機能を備えるものである請求項１〜９のいずれか１に記載のコミュニケーションシステム。
【請求項６０】
主催者側のＷｅｂアプリケーションサーバーには、掲示板の上下スペースに文字列からなる宣伝情報を挿入できるようにした請求項１〜９のいずれか１に記載のコミュニケーションシステム。
【請求項６１】
主催者側のＷｅｂアプリケーションサーバーには、会員からの投稿内容につき、全文表示、ダイジェスト表示、ツリー表示、投稿日時別表示、トップ記事のみ表示のうち１つの表示を選択して表示する機能を備えるものである請求項１〜９のいずれか１に記載のコミュニケーションシステム。
【請求項６２】
主催者側のＷｅｂアプリケーションサーバーには、読み書き可能な会員と、読むだけの会員についての登録機能を有するものであるところの請求項１〜９のいずれか１に記載のウエブコミュニケーションシステム。
【請求項６３】
会員の内容につき、「会社員」「公務員」「学生」等の属性別に各別のＩＤ識別番号を付して登録することにより、個々に読み書きの権限を付与することができるようにした請求項１〜９のいずれか１に記載のウエブコミュニケーションシステム。
【請求項６４】
主催者側のＷｅｂアプリケーションサーバーには、登録された会員の中から身元確認可能な会員についての登録機能を有するとともに、主催者側において、身元確認会員の意見のみを検索・閲覧できるようにしたものであるところの請求項１〜９のいずれか１に記載のウエブコミュニケーションシステム。
【請求項６５】
主催者側のＷｅｂアプリケーションサーバーには、会員から固有識別符号を付して寄せられた反応情報につき、編集日時、分野、会員の年齢・性別・居住地域などの検索キーワードをあらかじめ設定して編集し、これを会員宛に自動メール送信するようにしたものであるところの請求項３〜９のいずれか１に記載のウエブコミュニケーションシステム。
【請求項６６】
主催者側の提供情報が予算・実績の提示であり、会員からの反応情報が上記提供情報に対する意見・議論の展開であるところの請求項１〜９のいずれか１に記載のウエブコミュニケーションシステム。
【請求項６７】
主催者が国又は地方公共団体、行政機関、その他の公的団体であるところの請求項１〜１５のいずれか１に記載のウエブコミュニケーションシステム。
【請求項６８】
主催者が企業であるところの請求項１〜１５のいずれか１に記載のウエブコミュニケーションシステム。
【請求項６９】
会員が国民若しくは住民であるところの請求項１〜１５のいずれか１に記載のウエブコミュニケーションシステム。
【請求項７０】
会員が社員であるところの請求項１〜１５のいずれか１に記載のウエブコミュニケーションシステム。
【請求項７１】
主催者側のＷｅｂアプリケーションサーバーには、会員が携帯電話又はプレイステーション等のＰＣ以外の端末により対応可能とした請求項１〜７０のいずれか１に記載のウエブコミュニケーションシステム。
【請求項７２】
主催者側のＷｅｂアプリケーションサーバーは、イントラネット等インターネット以外ののローカルなネットワークに置き換えられる請求項１〜７０のいずれか１に記載のウエブコミュニケーションシステム。
【発明の詳細な説明】
【技術分野】
【０００１】
　本発明は、既存のメディアと新しいインターネットメディアの利点をあわせて、新しいメディアを構築しようという、メディアミックスといわれる新規な試みに関する。　さらには各種企業や団体あるいは行政機関などの主催者側と、その相手方である多数の取引先あるいは社員・構成員・住民などの会員との間におけるインターネットを利用した効果的なウエブコミュニケーションシステムに関し、ネット利用による主催者側情報と会員からの情報の効率的な交換を可能とするとともに、ネットサービスに対する課金回収の完全かつ効率化をはかることを目的とする。
【０００２】
　すなわち、新聞・雑誌・テレビあるいはラジオ放送等のアナログメディア媒体を用い、あるいはウエブサイト（及びメーリングリスト、ＭＰＥＧ）により主催者側から会員に向けた公共的又は公開性の情報を提供する傍ら、これを閲覧した会員からの意見や情報、あるいは問い合せなどの反応情報を主催者が蒐集し、また会員に対する個別の対話や対応をおこなうとともに、会員の意向を行政や企業運営あるいは取引に適格に反映させるようにした綜合的コミュニケーションをはかることを目的とするものである。
【背景技術】
【０００３】
　環境保全、防災対策、福祉対策など、複雑かつ多岐にわたる行政案件に関し、国や自治体が住民に対して情報を開示し、あるいはこれについて意見や要望等を募る場合には、新聞やテレビなどのメディアを通じて情報を開示し、あるいは個別に手紙や記述式アンートを利用するのが一般的である。　また各種企業や団体あるいは行政機関などの主催者において、多数の取引先あるいは社員・会員・住民からの意見等を蒐集する手段として、これまでは雑誌に広告したり、取引先あるいは社員・会員・住民などの会員からの手紙や電子メールにより投稿やアンケート形式にて蒐集するのが一般的である。
【０００４】
　また最近ではインターネットの著しい普及により、電子掲示板の利用が盛んになり、主催者側からの各種の情報を電子掲示板に掲示するとともに、メーリングリストが利用され、閲覧会員からの電子掲示板上における投稿や意見を主催者側において容易に取り込むことができるようになった。
【発明の開示】
【発明が解決しようとする課題】
【０００５】
　しかしながら、新聞や雑誌、テレビラジオなどのアナログメディアにあっては、１箇所からの画一的な情報を不特定多数に伝達する手段としては優れていたが、多数対多数として多数者間において相互の情報を交換するコミュニケーションをはかることは難しかった。　その結果１箇所からの情報を一方的に不特定多数に伝える、ということに終始することが殆どであり、また記者が折角取材したにも拘わらず、その取材した事実内容が報道されずに世間一般に知らされないままで終わるという、既存メディアの弊害が生じてきた。
【０００６】
　さらにこれまでのメディアにあっては、記者の取材のもとに編集されていた。したがって、記者が取材できる内容にはおのずと限界がある。　従来のご意見窓口では、どの意見に対する意見かわからずに、紙面に意見を反映させることが難しかった。
【０００７】
一方、インターネット媒体は、多数対多数のコミュニケーションを行うツールとしては優れているものの、多数対１のコミュニケーションを行うためには、情報の輻輳などの問題で難しい。　現状においてテレビ番組や、雑誌、新聞などのメディアに対する意見をインターネットで募集する仕組みについては一部試みられているが、番組中に発表された特定のテーマ自体を捉えてインターネット上で議論を行うことはできない。
【０００８】
　また、国や自治体など行政側が住民に対して意見や要望等を募る手段として、新聞やテレビなどのメディアを通じて情報を開示し、あるいは個別に手紙や記述式アンケートを利用する場合には、住民側から提案される意見や要望その他の情報数が膨大であるために、行政側において寄せられた情報の中から必要な情報のみを職員が探し出す作業はきわめて困難であり、現実的ではない。
【０００９】
　また、住民や社員あるいは取引先などの情報を提供する会員サイドでは自分の関係する問題点だけについての限定された提案をおこなうのが普通であるのに対し、行政や企業など主催者サイドでは上記した会員個々の意見のみならず、関連した情報に至るまで各種のカテゴリーに跨って総合的な意見を得たうえで企業運営や行政改革に反映させる仕組みとなっている。
【００１０】
　従って主催者サイドにおいては会員から寄せられた莫大な情報の中から必要なカテゴリーに属する情報のみを探索するのに多くの時間と手間を要し、蒐集した多量の情報の中から特定のカテゴリーだけの情報を探し出す作業が著しく困難となる。　その結果、結局は発見できた一部の情報のみしか目にとまらず、貴重な多くの意見が採用されずに陳腐化してしまうことが多い。
【００１１】
　また特に主催者が行政サイドである場合に、行政と住民とが対等の立場で対峙して対話することができず両者のコミュニケーションがはかられない結果、住民の意見を行政に適格に反映させることができない。　さらに電子掲示板を利用する場合においても、単に主催者側からの情報を一方的に掲示するだけであり、会員側から積極かつ能動的にアクセスしない限り、主催者側情報を得ることが難しく、また会員からの貴重な意見の見落としが多くなりがちである。
【００１２】
　また、電子掲示板・メーリングリストには参加者が多数になればなるほど機能しなくなるという欠点がある。　具体的には、１万人の会員が各々発言できるメーリングリストは機能しない。　なぜならば、１人が１日に１通のメールをメーリングリストに配信すると、一人が１日に受けるメールの量は、１万通と途方も無い数になり、読みきることが出来ないからである。　掲示板でも同様に発言者数が増えると、情報の輻輳により機能しなくなる。　この性質が行政のような大人数の参加を必要とするシステムを機能しなくしている。
【００１３】
　また掲示板に表示された主催者側情報に呼応して、かかる掲示板上に会員側の意見等投稿記事を書き込ませるだけであるために、ひとかたまりになっている会員からの投稿記事全体に対して主催者側からの回答を表示することはできても、各個別の投稿記事に対して、それぞれ個別に対応した回答をあらわすことはできない。　さらに時間の経過とともに過去の会員側の意見が主催者側において活用されることなく埋もれてしまいやすい。　その結果、主催者側と会員側とで同一テーマについて無駄に繰り返し論議されることも少なくない。
【００１４】
　また、電子掲示板のサービスを新聞や雑誌、書籍などアナログメディアの購入者に限定してサービスを提供するための仕組みは準備されていない。　したがって、インターネット上でのサービスをアナログメディアの購入者に限定して、アナログメディアの価格に付加して課金することができない。　またサービスを提供しても代金を回収することが現実的に難しく、この事がインターネット上のコミュニケーションサービスの普及を大きく阻害しているといえる。
【課題を解決するための手段】
【００１５】
　そこで本発明は、上記した課題を解決し、既存の媒体とインターネット媒体とのそれぞれの利点を結合させることにより、情報の発信者から受信者への一方的な提供にとどまらず、インターネット媒体を利用した受信者から発信者へのフィードバックが効果的に行われることにより、紙面のクオリティーを上げるとともに、記事の内容を特定して意見を募ることができるようにすることで、恰もボランティアの記者が多数いるような感じの読者参画型の新しいメディアを構築するようにしたものである。　
【００１６】
　また本発明は、例えば書籍や新聞などのアナログメディアにより論題をいくつか公開するとともに、その内容についてインターネットを介して不特定多数者との間で論議するという著者と読者との対話による新たな知的創造を期待することができるようにしたものである。　さらに本発明は、行政などの主催者側からの情報を紙媒体により公開するとともに、その公開内容につきインターネット上において賛否の意見を徴集し、また住民投票などのダイレクトデモクラシーをも想定している。
【００１７】
　また、本発明はインターネット上で情報の輻輳を発生させることなく円滑に、しかも多人数対多人数のコミュニケーションをはかることのできる仕組みを構築する。　具体的には１万人以上の人が参加しても輻輳せずに機能する仕組みを想定している。
【００１８】
　さらに本発明は、政策や経営方針につき、それぞれの関係者に告知して判断を仰いだり、あるいは予算案を策定して、その結果をディスクローズして行政の判断を仰いだりするコミュニケーションをはかることについても想定している。
【００１９】
　また最終的に、ユーザに対して、アナログメディアの購入者のみにインターネットのユーザを限定する仕組みを導入することにより、アナログメディアの価格に転嫁して課金することができ、ビジネスとしても成立しうる仕組みとして構築できる事を想定している。
【００２０】
　具体的には、請求項１の発明は、新聞・雑誌・書籍・テレビあるいはラジオ放送等のアナログメディア媒体を利用して主催者側の情報提供をおこなうとともに、これらの情報に反応した会員の意見・情報・質問等の反応情報を主催者側がインターネットを介してコンピュータシステムにより電子的に蒐集することができるようにしたコミュニケーションシステムであって、前記メディア媒体による主催者側情報には、各情報毎にそれぞれ個別に固有識別符号を付すとともに、主催者側コンピュータシステムには、会員がアクセス可能であって、会員から固有識別符号を付して寄せられた反応情報を蓄積可能としたコミュニケーションシステムに関する。
【００２１】
　さらに請求項２の発明は、電子メール、ホームページ、ＣＤ、ＭＰＥＧ（画像）、静止画等のデジタルメディア媒体を使用して主催者側の情報提供をおこなうとともに、これらの情報に反応した会員の意見・情報・質問等の反応情報を主催者側がインターネットを介してコンピュータシステムにより電子的に蒐集するようにしたコミュニケーションシステムであって、前記メディア媒体による主催者側情報には、各情報毎にそれぞれ個別に固有識別符号を付すとともに、主催者側コンピュータシステムには、会員がアクセス可能であって、会員から固有識別符号を付して寄せられた反応情報を蓄積可能としたコミュニケーションシステムに関する。
【００２２】
　さらに請求項３の発明は、インターネットを介して多数の会員のパソコン端末と、それぞれ接続可能な固有のデータベースを備えた主催者側のコンピュータシステムであって、該コンピュータシステムには、会員がアクセス可能なＷｅｂアプリケーションサーバーを有し、しかも該Ｗｅｂアプリケーションサーバーには、主催者の開示情報をカテゴリー別に掲載開示するＷｅｂ掲示板システムと、該Ｗｅｂ掲示板システムの掲示板を、インターネットを介してあらかじめ登録されている会員宛に電子的にメール送信するメーリングリスト機能を有したコミュニケーションシステムに関する。
【００２３】
　さらに請求項４の発明は、主催者側コンピュータシステムには、会員がアクセス可能なＷｅｂアプリケーションサーバーを有し、しかも該Ｗｅｂアプリケーションサーバーには、会員から固有識別符号を付して寄せられた反応情報を、各固有識別符号をもとに種々検索・編集可能な機能が組み込まれていることを特徴とした請求項１〜３に記載のコミュニケーションシステムに関する。
【００２４】
　さらに請求項５の発明は、ユーザー側回答の集計が、回答に対する主催者側からの評価の通知を含むものであるところの請求項４に記載のコミュニケーションシステムに関する。　さらに請求項６の発明は、書籍・雑誌・新聞等の主催者側アナログメディア媒体に付与された固有識別符号をＰＣ上で入力することにより、アナログメディア媒体の特定箇所の記事内容ないしは要約または題名がＰＣ上で表示されるようにした請求項１〜４のいずれか１に記載のコミュニケーションシステムに関する。
【００２５】
　さらに請求項７の発明は、サーバのＵＲＬをＨＰに貼り付けてリンクを張ることにより、該ＨＰを特定して利用者から情報を集める機能を有するものであるところの請求項１〜６のいずれか１に記載のコミュニケーションシステムに関する。　さらに請求項８の発明は、ドメインの後に固有識別符号を入力することにより、そのページに関する入力画面にジャンプする機能を有するものであるところの請求項１〜６のいずれか１に記載のコミュニケーションシステムに関する。
【００２６】
　さらに請求項９の発明は、インターネットを介して多数の会員のパソコン端末と、それぞれ接続可能な固有のデータベースを備えた主催者側のコンピュータシステムであって、該コンピュータシステムには、会員がアクセス可能なＷｅｂアプリケーションサーバーを有し、しかも該Ｗｅｂアプリケーションサーバーには、主催者の開示情報をカテゴリー別に掲載開示するＷｅｂ掲示板システムと、該Ｗｅｂ掲示板システムの掲示板を、インターネットを介してあらかじめ登録されている会員宛に電子的にメール送信するメーリングリスト機能を有したコミュニケーションシステムに関する。
【００２７】
　さらに請求項１０の発明は、主催者側コンピュータシステムには、会員がアクセス可能なＷｅｂアプリケーションサーバーを有し、しかも該Ｗｅｂアプリケーションサーバーには、会員から固有識別符号を付して寄せられた反応情報を、各固有識別符号をもとに種々検索・編集可能な機能が組み込まれていることを特徴とした請求項１〜４および９のいずれか１に記載のコミュニケーションシステムに関する。
【００２８】
　さらに請求項１１の発明は、任意の単語を入力することにより、これに対応する同義語、反義語、狭義語、広義語、関連語、外国語が表示されるようにした検索システムに関する。　さらに請求項１２の発明は、任意の単語を入力することにより、これに対応する同義語、反義語、狭義語、広義語、関連語、外国語が表示される検索手段を有するところの請求項１〜１０のいずれか１に記載のコミュニケーションシステムに関する。
【００２９】
　さらに請求項１３の発明は、予め検索条件毎にポイント点数を付加するとともに、検索条件からずれる毎にポイントが加算されされるようにし、ポイント点数の合計があらかじめ定めた一定点数以下である場合に、検索結果が検索一覧に表示されるようにした検索システムに関する。
【００３０】
　さらに請求項１４の発明は、予め検索条件毎にポイント点数を付加するとともに、検索条件からずれる毎にポイントが加算されされるようにし、ポイント点数の合計があらかじめ定めた一定点数以下である場合に、検索結果が検索一覧に表示される検索システムを備えるものである請求項１〜１０のいずれか１に記載のコミュニケーションシステムに関する。
【００３１】
　さらに請求項１５の発明は、ドメインの後にカテゴリ識別符号を入力することにより、そのカテゴリに属する投稿記事が表示される機能を備えたものであるところの請求項１〜１０のいずれか１に記載のコミュニケーションシステムに関する。　さらに請求項１６の発明は、主催者側コンピュータシステムに蓄積された会員からの反応情報を検索する場合において、検索対象の予め定めたキーワード出現個数により検索するようにした情報検索システムに関する。
【００３２】
　さらに請求項１７の発明は、主催者側コンピュータシステムに蓄積された会員からの反応情報を検索する場合において、検索対象の予め定めたキーワード出現個数により検索するようにした情報検索システムを組み込んでなる請求項１〜１０のいずれか１に記載のコミュニケーションシステムに関する。
【００３３】
　さらに請求項１８の発明は、主催者側コンピュータシステムに蓄積された会員からの反応情報を検索する場合において、検索対象の予め定めた範囲の投稿文字数により検索するようにした情報検索システムに関する。さらに請求項１９の発明は、主催者側コンピュータシステムに蓄積された会員からの反応情報を検索する場合において、検索対象の予め定めた範囲の投稿文字数により検索するようにした情報検索システムを組み込んでなる請求項１〜１０のいずれか１に記載のコミュニケーションシステムに関する。
【００３４】
　さらに請求項２０の発明は、主催者側コンピュータシステムに蓄積された会員からの反応情報を検索する場合において、予め定めた範囲の一文または１段落の文字数の平均により検索するようにした情報検索システムに関する。　さらに請求項２１の発明は、主催者側コンピュータシステムに蓄積された会員からの反応情報を検索する場合において、予め定めた範囲の一文または１段落の文字数の平均により検索するようにした情報検索システムを組み込んでなる請求項１〜１０のいずれか１に記載のコミュニケーションシステムに関する。
【００３５】
　さらに請求項２２の発明は、主催者側コンピュータシステムに蓄積された会員からの反応情報を検索する場合において、予め定めた文法の相違例がある文章を検索対象から除外するようにした情報検索システムに関する。　さらに請求項２３の発明は、主催者側コンピュータシステムに蓄積された会員からの反応情報を検索する場合において、予め定めた文法の相違例がある文章を検索対象から除外するようにした情報検索システムを組み込んでなる請求項１〜１０のいずれか１に記載のコミュニケーションシステムに関する。
【００３６】
　さらに請求項２４の発明は、主催者側コンピュータシステムに蓄積された会員からの反応情報を検索する場合において、主催者側のＷｅｂアプリケーションサーバーには蓄積反応情報を異国語に翻訳する自動翻訳機能を組み込んでなる情報検索システムに関する。さらに請求項２５の発明は、主催者側コンピュータシステムに蓄積された会員からの反応情報を検索する場合において、主催者側のＷｅｂアプリケーションサーバーには蓄積反応情報を異国語に翻訳する自動翻訳機能を組み込んでなる情報検索システムを備えてなる請求項１〜１０のいずれか１に記載のコミュニケーションシステムに関する。
【００３７】
　さらに請求項２６の発明は、主催者側コンピュータシステムに蓄積された会員からの反応情報を検索する場合において、Ｗｅｂアプリケーションサーバーには蓄積反応情報中の難解文字・難解文章に対応した辞書機能を備えてなる情報検索システムに関する。　さらに請求項２７の発明は、主催者側コンピュータシステムに蓄積された会員からの反応情報を検索する場合において、Ｗｅｂアプリケーションサーバーには蓄積反応情報中の難解文字・難解文章に対応した辞書機能を備えてなる情報検索システムを組み込んだコミュニケーションシステムに関する。
【００３８】
　さらに請求項２８の発明は、ネット上に公開された情報の中から共感する記事内容のプロジェクト、記事の投稿者ないしはサーバの管理者に対して会員が寄付をすることができるよう、Ｗｅｂアプリケーションサーバーに決済の機能を備えたことを特徴とするコミュニケーションシステムに関する。　さらに請求項２９の発明は、ネット上に公開された情報の中から共感する記事内容のプロジェクト、記事の投稿者ないしはサーバの管理者に対して寄付をする場合に、寄付をする記事を特定できるようにした請求項２８に記載のコミュニケーションシステムに関する。
【００３９】
　さらに請求項３０の発明は、主催者のコンピュータシステムにおけるＷｅｂアプリケーションサーバーには、会員登録により会員に対し、ＩＤおよびパスワードを付与する機能を備えたものであるところの請求項１〜３のいずれか１に記載のコミュニケーションシステムに関する。
【００４０】
　さらに請求項３１の発明は、雑誌・書籍等の情報媒体を、ＰＣ上におけるサービス利用料に相当する課金分を含めた価格で販売するとともに、該情報媒体に、あらかじめ夫々固有識別符号を付与しておき、購入者がＰＣ上において上記固有識別記号を入力して情報媒体販売者からのサービスを利用するようにしたコミュニケーションシステムに関する。
【００４１】
　さらに請求項３２の発明は、主催者側のＷｅｂアプリケーションサーバーには、会員から固有識別符号を付して寄せられた反応情報を、各固有識別符号をもとに種々検索・編集できるようにするとともに、編集後の反応情報につき、あらかじめ会員が登録しておいた条件に一致する情報のみを会員宛に自動メール送信することができるメーリングリスト機能を組み込んであるところの請求項１〜４のいずれか１に記載のコミュニケーションシステムに関する。
【００４２】
　さらに請求項３３の発明は、主催者側のＷｅｂアプリケーションサーバーに投稿された過去の会員からの情報を、会員が自らのＩＤとＰａｓｓｗｏｒｄを入力することにより一覧表示・修正可能とし、しかも修正分を含めた過去の会員からの情報内容を修正履歴として残存させることができるようにしたコミュニケーションシステムに関する。
【００４３】
　さらに請求項３４の発明は、固有識別符号を付して寄せられた会員からの反応情報につき、その全部又は選択された一部に対して主催者側の意見を会員宛に送信することができるようにしたことを特徴とする請求項１〜４のいずれか１に記載のコミュニケーションシステムに関する。
【００４４】
　さらに請求項３５の発明は、主催者側のＷｅｂアプリケーションサーバー電子掲示板に投稿する場合において、投稿内容を複数ブロックに分けて登録することができるようにした請求項１〜４および９のいずれか１に記載のコミュニケーションシステムに関する。さらに請求項３６の発明は、主催者側のＷｅｂアプリケーションサーバー電子掲示板に投稿する場合において、投稿内容には画像を添付して掲示板に貼り付ける機能を付加してなる請求項１〜４および９のいずれか１に記載のコミュニケーションシステムに関する。
【００４５】
　さらに請求項３７の発明は、主催者側のＷｅｂアプリケーションサーバー電子掲示板に投稿する場合において、投稿内容には動画、ＷＯＲＤやパワーポイント、音楽関係などの添付ファイルを貼り付けることができるようにした請求項１〜４および９のいずれか１に記載のコミュニケーションシステムに関する。
【００４６】
　さらに請求項３８の発明は、主催者側は、会員に付与した固有識別記号やＩＤの登録後、これとは別に会員自身の設定した範囲外では内容変更不能な１又は複数個の代理人用ＩＤ（パスワード）を発行して代理人による投稿を可能とした請求項１〜４および９のいずれか１に記載のコミュニケーションシステムに関する。
【００４７】
　さらに請求項３９の発明は、主催者側のＷｅｂアプリケーションサーバーには、電子掲示板の投稿情報を１日・１週間・１ヶ月などの時間単位ないしは、１０件・１００件などの件数単位でまとめて会員宛にメールで送るサービス機能を付加してなる請求項１〜４または９のいずれか１に記載のコミュニケーションシステムに関する。
【００４８】
　さらに請求項４０の発明は、主催者側のＷｅｂアプリケーションサーバーには、該サーバーに登録されたメーリングリストのＵＲＬおよび固有識別符号とを電子掲示板とリンクさせて付加することにより、メールで編集されて送られてきた会員からの反応情報に対して、メーリングリストのＵＲＬと固有識別符号をクリックすることにより、直ちに該当する議論の行われている掲示板にアクセスして会議室での話題情報や議論に参加し、また当該特定会員宛に返信する機能を有することを特徴とした請求項１〜９のいずれか１に記載のコミュニケーションシステムに関する。
【００４９】
　さらに請求項４１の発明は、主催者側のＷｅｂアプリケーションサーバーには、会員からの電子掲示板に対する各固有識別符号付きの投稿内容の検索結果を印刷する機能を有するものである請求項１〜９のいずれか１に記載のコミュニケーションシステムに関する。
【００５０】
　さらに請求項４２の発明は、主催者側のＷｅｂアプリケーションサーバーには、固有識別符号を付して任意に投稿可能な機能と、該投稿に関し、予め登録された特定の会員のみが上記固有識別符号を附して反応情報を書き込むことが可能な機能とを付加してあるところの請求項１〜９に記載のウエブコミュニケーションシステムに関する。
【００５１】
　さらに請求項４３の発明は、主催者側のＷｅｂアプリケーションサーバーには、郵便番号を利用して地域別に意見情報を表示する機能を有することを特徴とする請求項１〜９のいずれか１に記載のコミュニケーションシステムに関する。
【００５２】
　さらに請求項４４の発明は、主催者側のＷｅｂアプリケーションサーバーには、固有識別符号を付して寄せられた会員からの反応情報を、各固有識別符号をもとに種々検索・編集するとともに、編集後の反応情報につき、その全部又は選択された一部を出力（ファイル出力、印刷出力）する機能を有するものであるところの請求項１〜９のいずれか１に記載のウエブコミュニケーションシステムに関する。
【００５３】
　さらに請求項４５の発明は、主催者側のＷｅｂアプリケーションサーバーには、電子掲示板への投稿別に投稿者の氏名・年齢・住所を一覧表示する機能を備えているところの請求項１〜９のいずれか１に記載のウエブコミュニケーションシステムに関する。
【００５４】
　さらに請求項４６の発明は、主催者側のＷｅｂアプリケーションサーバーには、会員からの反応情報を、転送履歴を残しつつ他のサーバー宛に手動ないしは自動で転送する機能を有するところの請求項１〜９のいずれか１に記載のコミュニケーションシステムに関する。
【００５５】
　さらに請求項４７の発明は、主催者側のＷｅｂアプリケーションサーバーには、電子掲示板の会員からの投稿のうち、主催者側の判断で履歴を残しつつ削除又は別カテゴリに移動する機能を備えたことを特徴とする請求項１〜９のいずれか１に記載のコミュニケーションシステムに関する。
【００５６】
　さらに請求項４８の発明は、主催者側のＷｅｂアプリケーションサーバーには、電子掲示板の会員からの情報について主催者側と会員との間で取り扱い区分の異なる複数のカテゴリ分けができ、必要に応じてこれらのカテゴリ分けを変化させることが可能な機能を有するものであるところの請求項１〜９のいずれか１に記載のコミュニケーションシステムに関する。
【００５７】
　さらに請求項４９の発明は、主催者側のＷｅｂアプリケーションサーバーには、電子掲示板に対する会員からの情報中に、１又は複数の引用元情報をブロック単位で表示する機能を付加したものである請求項１〜９のいずれか１に記載のコミュニケーションシステムに関する。
【００５８】
　さらに請求項５０の発明は、主催者側のＷｅｂアプリケーションサーバーには、不正投稿を自動チェックして不正一覧を作成する機能を有するところの請求項１〜９および４９のいずれか１に記載のコミュニケーションシステムに関する。　さらに請求項５１の発明は、主催者側のＷｅｂアプリケーションサーバーには、会員に対し、発言者及び発言順番を指定し、あるいは会員毎に発言できる数を設定する機能を有するものである請求項１〜９のいずれか１に記載のコミュニケーションシステムに関する。
【００５９】
　さらに請求項５２の発明は、主催者側のＷｅｂアプリケーションサーバーには、掲示板の議論に参加して欲しい人に議論の内容を添付してお誘いメールを送ることができる機能を備えたものであるところの請求項１〜９のいずれか１に記載のコミュニケーションシステムに関する。
【００６０】
　さらに請求項５３の発明は、主催者側のＷｅｂアプリケーションサーバーには、電子掲示板への投稿内容に対して時間を区切った会員からの賛成・反対の投票を待ち、投票結果があらかじめ設定した一定の条件に一致した場合、あるいは特定の人が許可した場合にのみ、投稿内容を別サーバ・別カテゴリに自動転送する機能を備えたことを特徴とする請求項１〜９のいずれか１に記載のコミュニケーションシステムに関する。
【００６１】
　さらに請求項５４の発明は、主催者側のＷｅｂアプリケーションサーバーには、電子掲示板の検索結果をＰＤＦ形式にて出力する機能を備えるものである請求項１〜９のいずれか１に記載のコミュニケーションシステムに関する。　さらに請求項５５の発明は、主催者側のＷｅｂアプリケーションサーバーには、電子掲示板の検索結果をＨＴＭＬ形式・ＸＭＬ形式・XHTML形式にて出力する機能を備えるものである請求項１〜９のいずれか１に記載のコミュニケーションシステムに関する。
【００６２】
　さらに請求項５６の発明は、主催者側のＷｅｂアプリケーションサーバーには、掲示板の投稿に関して閲覧者数を記録することができる機能を有するものである請求項１〜９のいずれか１に記載のコミュニケーションシステムに関する。　さらに請求項５７の発明は、主催者側のＷｅｂアプリケーションサーバーには、掲示板への投稿情報に関して管理者ないしは会員が投稿内容を評価してランク付けできる機能を有するものである請求項１〜９のいずれか１に記載のコミュニケーションシステムに関する。
【００６３】
　さらに請求項５８の発明は、主催者側のＷｅｂアプリケーションサーバーには、掲示板への投稿情報に対し、会員が投票し、投票数の多い順番に表示させる機能を備えるものである請求項１〜９のいずれか１に記載のコミュニケーションシステムに関する。
【００６４】
さらに請求項５９の発明は、主催者側のＷｅｂアプリケーションサーバーには、ドメインにカテゴリ識別番号を付加したＵＲＬを入力させることにより、ＨＰにリンクした際、カテゴリに該当する投稿内容が表示される機能を備えるものである請求項１〜９のいずれか１に記載のコミュニケーションシステム。
【００６５】
　さらに請求項６０の発明は、主催者側のＷｅｂアプリケーションサーバーには、掲示板の上下スペースに文字列からなる宣伝情報を挿入できるようにした請求項１〜９のいずれか１に記載のコミュニケーションシステムに関する。　さらに請求項６１の発明は、主催者側のＷｅｂアプリケーションサーバーには、会員からの投稿内容につき、全文表示、ダイジェスト表示、ツリー表示、投稿日時別表示、トップ記事のみ表示のうち１つの表示を選択して表示する機能を備えるものである請求項１〜９のいずれか１に記載のコミュニケーションシステムに関する。
【００６６】
　さらに請求項６２の発明は、主催者側のＷｅｂアプリケーションサーバーには、読み書き可能な会員と、読むだけの会員についての登録機能を有するものであるところの請求項１〜９のいずれか１に記載のウエブコミュニケーションシステムに関する。　さらに請求項６３の発明は、会員の内容につき、「会社員」「公務員」「学生」等の属性別に各別のＩＤ識別番号を付して登録することにより、個々に読み書きの権限を付与することができるようにした請求項１〜９のいずれか１に記載のウエブコミュニケーションシステムに関する。
【００６７】
　さらに請求項６４の発明は、主催者側のＷｅｂアプリケーションサーバーには、登録された会員の中から身元確認可能な会員についての登録機能を有するとともに、主催者側において、身元確認会員の意見のみを検索・閲覧できるようにしたものであるところの請求項１〜９のいずれか１に記載のウエブコミュニケーションシステムに関する。
【００６８】
　さらに請求項６５の発明は、主催者側のＷｅｂアプリケーションサーバーには、会員から固有識別符号を付して寄せられた反応情報につき、編集日時、分野、会員の年齢・性別・居住地域などの検索キーワードをあらかじめ設定して編集し、これを会員宛に自動メール送信するようにしたものであるところの請求項３〜９のいずれか１に記載のウエブコミュニケーションシステムに関する。
【００６９】
　さらに請求項６６の発明は、主催者側の提供情報が予算・実績の提示であり、会員からの反応情報が上記提供情報に対する意見・議論の展開であるところの請求項１〜９のいずれか１に記載のウエブコミュニケーションシステムに関する。　さらに請求項６７の発明は、主催者が国又は地方公共団体、行政機関、その他の公的団体であるところの請求項１〜１５のいずれか１に記載のウエブコミュニケーションシステムに関する。
【００７０】
　さらに請求項６８の発明は、主催者が企業であるところの請求項１〜１５のいずれか１に記載のウエブコミュニケーションシステムに関する。　さらに請求項請求項６９の発明は、会員が国民若しくは住民であるところの請求項１〜１５のいずれか１に記載のウエブコミュニケーションシステムに関する。
【００７１】
　さらに請求項７０の発明は、会員が社員であるところの請求項１〜１５のいずれか１に記載のウエブコミュニケーションシステムに関する。　さらに請求項７１の発明は、主催者側のＷｅｂアプリケーションサーバーには、会員が携帯電話又はプレイステーション等のＰＣ以外の端末により対応可能とした請求項１〜７０のいずれか１に記載のウエブコミュニケーションシステムに関する。
【００７２】
　さらに請求項７２の発明は、主催者側のＷｅｂアプリケーションサーバーは、イントラネット等インターネット以外ののローカルなネットワークに置き換えられる請求項１〜７０のいずれか１に記載のウエブコミュニケーションシステムに関する。
【００７３】
　上記した構成において、先ず企業や各種の団体、あるいは行政機関などの主催者側が有するコンピュータシステムのＷｅｂアプリケーションサーバーに、住民や社員などの会員登録をしておく。　つぎに主催者側において、主催者の開示情報を、カテゴリー別に識別符号を付して新聞や雑誌あるいはテレビなどのアナログメディア媒体により、あるいはコンピュータシステムにおけるＷｅｂアプリケーションサーバーによりインターネットを介して掲載開示する。
【００７４】
　つぎに、これを見た会員側において、特定のカテゴリに対して意見や質問等を有する場合に、会員側のパソコンにより主催者側Ｗｅｂアプリケーションサーバーにアクセスし、主催者側の当該カテゴリに付されている識別符号を入力し、これとともに会員側の意見や質問あるいは情報等を入力して主催者側に送信すると、これらの情報は一旦主催者側のＷｅｂアプリケーションサーバーに記録され、さらにあらかじめ設定しておいた編集条件に沿ってカテゴリや、地域あるいは年齢別など別に自動編集され、さらに編集結果を一纏めにして、やはりあらかじめ設定しておいた会員宛にメーリングリストにより自動送信させる。
【００７５】
　一方会員側においては、送信された編集結果について、さらに意見や質問などがある場合においては、同様に前記した識別符号を付して主催者側宛にメール送信することができ、個別の意見交換をおこなうこともできる。　また主催者側のＷｅｂアプリケーションサーバーでは、会員からの意見・情報を検索手段によりカテゴリー別に蒐集・閲覧利用に供することができる。　なお一方社員や住民などの会員は、自発的に自らのパソコンにより主催者側のＷｅｂアプリケーションサーバーにアクセスして編集された開示情報などを自由に閲覧することもできる。
【発明の効果】
【００７６】
　本発明は上記した通り、請求項１および請求項２の発明にあっては、新聞・雑誌・書籍・テレビあるいはラジオ放送等のアナログメディア媒体を利用して主催者側の情報提供をおこなうとともに、これらの情報に反応した会員の意見・情報・質問等の反応情報を主催者側がインターネットを介してコンピュータシステムにより電子的に蒐集することができるようにしたコミュニケーションシステムであって、前記メディア媒体による主催者側情報には、各情報毎にそれぞれ個別に固有識別符号を付すとともに、主催者側コンピュータシステムには、会員がアクセス可能であって、会員から固有識別符号を付して寄せられた反応情報を蓄積可能とし、また主催者側コンピュータシステムのＷｅｂアプリケーションサーバーには、会員から固有識別符号を付して寄せられた反応情報を、各固有識別符号をもとに種々検索・編集可能な機能が組み込まれている。
【００７７】
　そのために、特に新聞や雑誌、あるいはテレビ等のアナログメディア媒体により開示された、主催者側から会員に向けた公共的情報に対しても、これを閲覧した会員からの意見や情報、あるいは問い合せなどの反応情報を適格に蒐集するとともに、これを各固有識別符号毎に集めて管理することができ、また固有識別符号が付された紙情報に対する会員の反応結果を、上記固有識別符号をもとにインターネットを介して回収し、あるいは電子会議室に参画させることも可能となるなど、会員に対する個別の対話や対応をおこなうとともに、会員の意向を行政や企業運営あるいは取引に適格に反映させるようにした綜合的コミュニケーションをはかることができる。
【００７８】
また請求項９の発明にあっては、インターネットを介して多数の会員のパソコン端末と、それぞれ接続可能な固有のデータベースを備えた主催者側のコンピュータシステムであって、該コンピュータシステムには、会員がアクセス可能なＷｅｂアプリケーションサーバーを有し、しかも該Ｗｅｂアプリケーションサーバーには、主催者の開示情報をカテゴリー別に掲載開示するＷｅｂ掲示板システムと、該Ｗｅｂ掲示板システムの掲示板を、インターネットを介してあらかじめ登録されている会員宛に電子的にメール送信するメーリングリスト機能を有したコミュニケーションシステムであるために、普段Ｗｅｂ会議室を見ることができない人々であっても、例えば自分の興味がある人の発言や、その人に宛てた第三者の発言や議論内容などに絞って閲覧することができる。また興味が比較的薄い内容については、時間ができたときに電子掲示板に見に行くことができるために時間の有効活用が可能となる。
【００７９】
　また請求項１０の発明は、主催者側コンピュータシステムには、会員がアクセス可能なＷｅｂアプリケーションサーバーを有し、しかも該Ｗｅｂアプリケーションサーバーには、会員から固有識別符号を付して寄せられた反応情報を、各固有識別符号をもとに種々検索・編集可能な機能が組み込まれていることを特徴とした請求項１〜３に記載のコミュニケーションシステムであるところから、会員がいちいち過去の記録を見ることなく、また過去になされたのと同じ質問を重複しておこなう無駄を防ぐことができ、過去の議論を参照して効果的に勉強することも可能となる。
【００８０】
　さらに請求項１１・１２の発明は、この機能を追加することにより、１語を入力すれば、関係する投稿の一覧を簡潔に表示することができる。　さらに請求項１３〜１４によれば、莫大な情報の中から曖昧に情報をピックアップすることができる。　さらに請求項１５の発明によれば、ドメインとカテゴリ識別符号を付加したＵＲＬを、ＨＰのリンク先としてＨＰに貼り付けることにより、カテゴリに投稿された情報の一覧を会員が簡単に閲覧することが可能となる。　さらに請求項２６・２７の発明によれば、難解な文字や文書を簡単に調べることができ、コミュニケーションの一層の向上をはかることができる。
【００８１】
　さらに請求項３０の発明は、籍・新聞形式で公開されたアンケートを読んで答えて、それらの答えだけをＷＥＢで入力して集計する、という形がとれて効率的である。　さらに請求項３１の発明によれば、ネット上での課金の難しさを解消でき、ネット取引の増大をはかることができる。　
【００８２】
　さらに請求項３２の発明は、主催者側のＷｅｂアプリケーションサーバーには、会員から固有識別符号を付して寄せられた反応情報を、各固有識別符号をもとに種々検索・編集できるようにするとともに、編集後の反応情報につき、あらかじめ会員が登録しておいた条件に一致する情報のみを会員宛に自動メール送信することができるメーリングリスト機能を組み込んであるところの請求項１〜４に記載のコミュニケーションシステムであるために、会員から寄せられた多数の情報のうち必要な一部分を特定し、この特定部分について、主催者側からの返信を可能とするために、所謂ツリー形式の議論を完結させることができる。
【００８３】
　さらに請求項４２の発明は、主催者側のＷｅｂアプリケーションサーバーには、固有識別符号を付して任意に投稿可能な機能と、該投稿に関し、予め登録された特定の会員のみが上記固有識別符号を附して反応情報を書き込むことが可能な機能とを付加し、また請求項４４の発明は、固有識別符号を付して寄せられた会員からの反応情報を、各固有識別符号をもとに種々検索・編集するとともに、編集後の反応情報につき、その全部又は選択された一部を出力（ファイル出力、印刷出力）する機能を有するので電子会議室の質的向上をはかることができる。
【００８４】
　さらに請求項６２の発明は、主催者側のＷｅｂアプリケーションサーバーには、読み書き可能な会員と、読むだけの会員についての登録機能を有するものであるために、あらかじめ許可された特定の会員のみの書き込みを可能とし、その他大勢の会員は単なる議論の傍観者として参加させるといった使い分けが可能となり、その結果インターネット上における公開討論会の開設を可能にし、また電子会議室の質的な向上をはかることができる。
【００８５】
　さらに請求項６３の発明は、会員の内容につき、「会社員」「公務員」「学生」等の属性別に各別のＩＤ識別番号を付して登録することにより、個々に読み書きの権限を付与することができるようにした請求項１〜６に記載のウエブコミュニケーションシステムであるために、電子会議室における討論を、会員の立場や責任関係を明確にしたうえで実施することができる。
【００８６】
　すなわち、従来の電子掲示板では登録している人の責任関係が明らかではなく、したがってそれらの者の発言内容に不信感を抱いたりすることが多く、発言内容の信憑性に問題があったところから、電子会議室としての機能に現実性が乏しかったが、属性別に各別のＩＤ識別番号を付して登録したうえで討論をおこなうようにしたためにこのような不都合が解消された。
【００８７】
　さらに請求項６４の発明は、主催者側のＷｅｂアプリケーションサーバーには、登録された会員の中から身元確認可能な会員についての登録機能を有するとともに、主催者側において、身元確認会員の意見のみを検索・閲覧できるようにしたものであるところの請求項１〜６に記載のウエブコミュニケーションシステムであるために、あらかじめ身分証明書を提示させるなどにより身元を確認済みの会員と、身元未確認の会員とを区分して登録することにより、身元を明らかにして安心で信憑性の高い情報を提供することを欲する会員と、身元を明かさないで虚名により安心して自由な発言をおこなえることを望む会員との両方のニーズを共に満たすことができ、これによって、より広い範囲からの情報蒐集を可能にするとともに、身元を明らかにした信憑性の高い情報のみを閲覧したいとする希望にも添うことができる。
【００８８】
　さらに請求項６６のように、主催者側の提供情報が予算・実績の提示であり、会員からの反応情報が上記提供情報に対する意見・議論の展開であるところの請求項１〜６に記載のウエブコミュニケーションシステムである場合においては、行政や企業など主催者側にとって重要な予算や実績についての議論を煮詰めるうえで有益である。　行政や企業の目指すべき方向性は予算にあらわれるから、予算を会員一般に公開して議論をおこなうことにより、一部の限られた人による従来の独断的な予算編成が改められ、会員の多数の意見を反映させたより一層適切な予算配分が可能となる。
【００８９】
　また本発明は、さらに新聞・雑誌・テレビあるいはラジオ放送等のアナログメディア媒体、あるいはインターネットの電子掲示板等のデジタルメディア媒体を利用して主催者側の情報提供をおこなうとともに、これらの情報に反応した会員の意見・情報・質問等の反応情報を主催者側がインターネットを介してコンピュータシステムにより電子的に蒐集するようにしたコミュニケーションシステムであって、前記メディア媒体による主催者側情報には、各情報毎にそれぞれ個別に固有識別符号を付すとともに、主催者側コンピュータシステムには、会員がアクセス可能であって、会員から固有識別符号を付して寄せられた反応情報を蓄積可能とした、Ｗｅｂコミュニケーションを利用した情報蒐集システムであり、また主催者側コンピュータシステムのＷｅｂアプリケーションサーバーには、会員から固有識別符号を付して寄せられた反応情報を、各固有識別符号をもとに種々検索・編集可能な機能が組み込まれている。
【００９０】
　そのために、特に新聞や雑誌、あるいはテレビ等のアナログメディア媒体により開示された、主催者側から会員に向けた公共的情報に対しても、これを閲覧した会員からの意見や情報、あるいは問い合せなどの反応情報を適格に蒐集することが可能となり、会員に対する個別の対話や対応をおこなうとともに、会員の意向を行政や企業運営あるいは取引に適格に反映させるようにした綜合的コミュニケーションをはかることができる。
【００９１】
　また本発明は、特に新聞や雑誌、テレビ等のアナログメディア媒体を介した主催者側の情報の公開と、これに対する住民や社員などの会員のインターネットを介した意見や質問・回答などの反応情報情報の蒐集とをマッチングさせることにも特徴を有するものである。　そのために主催者側が例えば新聞や書籍などの紙媒体で論題をいくつか公開して、その内容をインターネット上で議論するという仕組みを構築することができ、書籍に書かれた内容をインターネットで議論できることにより、著者と読者の対話によるさらなる知の創造が期待できる。
【００９２】
　さらに具体的には、紙媒体で行政判断などにつき告知して、インターネットを使用して住民など会員の賛否の意見を集めたり、住民投票などのダイレクトデモクラシーを実践することも可能となる。　また、行政や企業の政策及び経営方針につき主催者側が関係者会員に告知して判断を仰ぐということも想定している。　特に予算案を策定して、その結果をディスクローズして行政の判断を仰ぐという機能は大きい。
【００９３】
　また電子掲示板に投稿された会員からの投稿内容は、従来は年齢、地域によるクロス分析を行うことはできなかったが、本発明のシステムにより会員からの多数の意見を細かく分析することが可能になる。　さらに主催者側のＷｅｂアプリケーションにメーリングリスト機能を組み込んである場合においては、会員側にとっても主催者側の情報のみならず、会員の反応にいたるまで、十分にしかも短時間で情報蒐集することが可能となり、会員側と一体となったコミュニケーションを実現することにより、情報の検索や一覧表示、さらには分類機能などに優れた電子掲示板の利便性に加えて、同報配信や情報共有といった即時性のあるメーリングリスト機能の利便性を併せ持たせることができ、これにより情報の共有化を損なうことなしにリアルタイムに投稿、ならびにオンデマンドに他の投稿の確認作業をおこなうことができる結果、より一層客観的な政治や企業運営が可能となる。
【発明を実施するための最良の形態】
【００９４】
　以下において本発明の具体的な内容を、主催者側の一例として行政（自治体）と、会員側の一例である住民（市民）間におけるコミュニケーション手段として適用したところの、あらかじめ登録された会員宛に電子的に送信するメーリングリスト機能を備えた図１のウエブコミュニケーションシステムを例示して説明する。
【００９５】
　図１は、主催者側が新聞や雑誌、テレビ等により開示した情報を見て、この情報を見た会員側がインターネットを介して主催者側に意見を述べ、あるいは質問をしたり、あるいは情報を提供したりするためのＷｅｂコミュニケーションシステムをあらわすものであって、１は行政機関内に設置されたコンピュータシステムのＬＡＮ環境を示したもので、インターネットＩＮを介して住民（市民）サイド６である多数の会員のパソコン７とそれぞれ接続可能な固有のデータベースを備えた行政機関（主催者）のコンピュータシステムをあらわしている。　さらに該コンピュータシステム１は、外部インターネットＩＮに接続されるウエブサーバー４を介して、つぎの２つのサブシステム機能を内臓している。
【００９６】
　すなわち１つは会員である住民（市民）サイド６がアクセス可能な各種のＷｅｂアプリケーションを有する一般住民（市民）向けサブシステム（Ｗｅｂアプリケーション）２であり、またもう１つは住民側のパソコン７からの意見や提供情報等を分野別に記録するデータベース３および該データベースを管理するデータベースサーバー４ａ，４ｂとを備えたデータベースを基本とした管理者サブシステム（ローカルアプリケーション）である。　なお、図において５はプリンター、Ｆはコンピュータウイルスの進入を防ぐセキュリティ機能を有するファイアーウォールをあらわしている。
【００９７】
　前者の一般住民（市民）向けサブシステム（Ｗｅｂアプリケーション）のＷｅｂアプリケーションサーバー２は、主催者の開示情報をカテゴリー別に固有の識別符号を付して掲載開示するとともに、会議室参加希望者に対してＩＤとパスワードを発行して会員登録をおこなう機能を有し、会議室作成機能、会議室検索・一覧機能、および会議室参加機能、および識別符号毎に入力送信された会員からの意見・情報をカテゴリー別に蒐集できるように識別符号による過去の議事録の検索・閲覧機能をも有するほか、さらに掲載開示された情報を、あらかじめ登録された会員宛に電子的に送信するメーリングリスト機能をも有する。
【００９８】
　なお前記した固有の識別符号については、この場合にはインターネットを介して開示される開示情報の１つ１つに付記される。　しかし情報を開示する手段がインターネットではない場合、すなわち新聞や雑誌等である場合においては、記事の１つ１つに付加され、またテレビやラジオ等については放送のテーマ毎に独自のＵＲＬや識別符号を画面に表示させることにより実施する。　また会員からの情報は識別符号毎にＷｅｂアプリケーションサーバー２に集められて管理される。
【００９９】
　またこの場合において、例えば紙にアンケート項目を印刷して配布するとともに、アンケート結果をインターネットで回収し、さらに紙媒体に印刷された識別符号をもとに会員から寄せられた情報を回収し、あるいは電子会議室に参加することもできる。　さらに管理者サブシステム（ローカルアプリケーション）はメインメニューメンテナンスと、会員登録情報の閲覧・修正・削除・印刷機能などのほかに、会員登録情報の集計（性別・年齢・職業・地区）表示、印刷機能をも有する。
【０１００】
　　具体的な画面構成としては、一般向けサブシステム画面一覧として、「メインメニュー画面」「会員登録画面」「ログイン画面」「会議室検索・一覧画面」「会議室閲覧・投稿画面」などから構成される。　また管理者サブシステム画面一覧として、「メインメニュー画面」「メインメニューメンテナンス画面」「会員登録情報メンテナンス画面」「会員登録情報の集計処理画面」「会議室メンテナンス画面」「議事録検索・表示・印刷画面」などから構成される。
【０１０１】
　つぎに具体的な画面構成について説明すると、「メインメニュー画面」は、図２の画面８にあらわしたように、例えば「お知らせ」や「会員登録」「会議室作成」「会議室検索」「当サイトについて」「リンク」等の閲覧選択コーナーを有し、さらにその夫々に対応した内容（例えば個人識別ＩＤ番号・題名・提供情報インデックス・提供情報種別等の分類・提供情報内容・情報の提供日時など）が盛り込まれている。　例えば「会員登録」については図３の画面９にあらわしたように「会員登録画面」として、ＩＤやパスワードおよびメールアドレスの入力部のほかに性別・年齢・職業・地区等の選択部を有し、閲覧希望者に対してＩＤとパスワードを発行して会員登録をおこなう機能を有する。
【０１０２】
　また例えば図４にあらわしたようなログイン画面１０が設けられ、前記した会員登録により与えられたＩＤおよびパスワードを入力することにより登録会員の認証をおこなう認証機能を有し、認証された会員は主催者側である行政機関の開設する会議室に入室可能となる。　さらに「会議室検索・一覧画面」については、図５の会議室検索画面１１、および図６の会議室一覧画面１２にあらわされている通りである。
【０１０３】
　すなわち、会議室検索画面１１は、各種検索カテゴリの選択と、キーワード入力部とを有し、また会議室一覧画面１２は、会議室に記録された各種のテーマが表示される。　また「会議室閲覧・投稿画面」については、図７の会議室閲覧画面１３、および図８の記事内容表示画面１４、図１０の記事投稿画面１６にあらわされている通りである。すなわち、会議室閲覧画面１３には、前記した会議室一覧画面１２に表示された各種のテーマの中から選択された１つの特定のテーマ（例えば「脳内活動源の臨床応用の考察」）に関する行政機関の一般住民（市民）に向けた開示情報と、これに対する会員である住民からの意見や問い合せ事項に関する各種のメッセージ（投稿内容）のタイトルが順次表示される。
【０１０４】
　また、記事内容表示画面１４は、上記した会議室一覧画面１２や会議室閲覧画面１３に書き込み記録するための文章作成がおこなわれる。　なお図９は、会議室を新規に作成するための会議室新規作成画面１５をあらわしており、各種のカテゴリの選択コーナーのほかに会議室名およびキーワードの入力部が設けられている。　さらに図１０の記事投稿画面１６は、行政機関または住民が投稿のために用いる投稿画面を有し、タイトル・名前・ＵＲＬのほかに文章の入力部を有する。
【０１０５】
　一方、管理者サブシステム画面一覧としての「メインメニュー画面」については、図１１の画面１７にあらわされているように、「メインメニューメンテナンス」をおこなう機能、および会員の登録情報の閲覧・修正・削除・印刷をおこなう「会員情報メンテナンス」機能、さらに会員登録情報の集計（性別・年齢・職業・地区）表示・印刷などをおこなう「各種集計処理」機能や、会議室の各種メンテナンスをおこなう「会議室メンテナンス」機能、そしてさらに議事録の内容閲覧、集計、印刷などをおこなう「議事録」機能なども有している。
【０１０６】
　さらにこれらの具体的な画面構成としては、「メインメニューメンテナンス画面」「会議室メンテナンス画面」「会議室議事録画面」「会議室議事録一覧画面」「会議室議事録検索画面」「集計処理画面」などから構成される。　さらに「メインメニューメンテナンス画面」の一例を示せば、図１２の画面１８および１９にあらわされている通りである。　すなわち同図（ａ）の画面１８では、管理者（行政）側から会員である市民などに宛てた各種の「お知らせ」について、内容と日付を入力してウエブ上に登録するためのファイル画面であり、また同図（ｂ）の画面１９では各種リンク先のタイトルや説明およびＵＲＬを入力するための「リンク」ファイル画面をあらわしている。
【０１０７】
　また「会議室メンテナンス画面」の一例を示せば、図１３の画面２０にあらわした通り、作成者やタイトルおよびコメント等を入力してウエブ上に登録するための画面である。　さらに「会議室議事録画面」の一例を示せば、図１４の画面２１にあらわされている通り、登録日とカテゴリ（例えば政治・経済・環境・福祉・地域・健康など）、タイトル、投稿内容などを入力してウエブ上に登録し、また印刷する機能をも有する。
【０１０８】
　さらに「会議室議事録一覧画面」の一例を示せば、図１５の画面２２にあらわされている通り、画面２１によって登録された各登録内容につき、登録日、カテゴリ、タイトルについて、登録日を基準とした順番により整然と表示され、しかもこの画面について印刷や、個別のタイトル毎に内容表示させる機能をも有している。
【０１０９】
　さらに「会議室議事録検索画面」の一例を示せば、図１６の画面２３にあらわされている通り、カテゴリおよび各種検索条件の選択や、検索のためのフリーワード入力部などの設定が可能で、設定完了後の検索実行ボタンなどを有している。　なお図１７には検索された特定のカテゴリについての投稿を一覧表示した議事録の印刷された出力例があらわされている。
【０１１０】
　また「集計処理画面」の一例を示せば、図１８の画面２４、および図１９の画面２５に、それぞれあらわされているように、前記により記録された多数の議事録の内容について、職業別に円グラフを作成表示したりする「職業別集計」をおこなうファイル（図１８）や、年齢別にヒストグラムを作成表示したりする「年齢別集計」をおこなうファイル（図１９）のほかに、とくに図示はしないが「地区別集計」や「アンケート集計」を作成表示したりするファイルなども有する。
【０１１１】
　一方、図１に立ち返って、主催者側が新聞や雑誌、テレビ等のメディア媒体により開示した主催者側の情報（識別符号つき）を見た会員側が、かかる開示情報に関して主催者側に対する意見や質問の申し出、あるいは情報の提供を希望する場合においては、会員としての意見や質問あるいは要望を送る側である住民（市民）サイド６においても、各住民がそれぞれパソコン７を有している必要があり、住民（市民）はそれぞれパソコン７によりインターネットＩＮを介して行政機関内に設置されたシステムのＬＡＮ環境１におけるホームページにアクセスし、図２の「メインメニュー画面」８から図３の会員登録画面９により性別・年齢・職業・地区・メールアドレスなど所定の事項を入力送信したうえで登録し、ＩＤおよびパスワードを取得する。
【０１１２】
　登録後、住民（市民）は図４の画面１０により自己のＩＤとパスワードを入力したうえで電子会議室に入室することができる。　電子会議室では図５の会議室検索画面１１により、所定のカテゴリを選択するとともに、検索キーワードを入力し、ログインボタンをクリックすると、検索されたカテゴリに属する会議室一覧画面１２が表示される。　さらにこの会議室一覧画面１２に表示されたタイトルから、任意のもの（例えば「脳内活動源の臨床応用の考察」）を選択すると、図７の「脳内活動源の臨床応用の考察」に関する会議室閲覧画面１３が表示される。
【０１１３】
　新聞や雑誌等のアナログメディア媒体により開示され、あるいはこの会議室閲覧画面１３の内容に対し、意見や質問等がある場合には、この会議室閲覧画面１３に書き込みをおこなうことができる。　この場合の書き込みの方法については、図８の記事内容表示画面１４を表示させ、先ず開示情報に付記された識別符号を入力し、これとともに、上記した会議室一覧画面１２や会議室閲覧画面１３に書き込み記録するための文章作成をおこなう。
【０１１４】
　ここでタイトルや意見・要望・質問などの内容本文を入力したうえで同画面の「投稿する」ボタンを操作することにより、インターネットＩＮを介して行政機関内に設置されたシステムのＬＡＮ環境１におけるＷｅｂサーバー４およびデータベースサーバー３を介してデータベース４ａ・４ｂに記録される。
【０１１５】
　なお住民（市民）サイド６からは、このほかにも行政機関内に設置されたシステムのＬＡＮ環境１におけるホームページにアップロードされている種々の「お知らせ」やサイトの説明をした「当サイトについて」、あるいは「リンク」等を利用することもできる。
【０１１６】
　これに対し、主催者側である行政機関サイドにおいては、システムのＬＡＮ環境１を介し、各自の端末を用い、、管理者サブシステム（ローカルアプリケーション）により、例えば図１１の「メインメニュー画面」１７により、例えば「メインメニューメンテナンス」「会員情報メンテナンス」「各種集計処理」「会議室メンテナンス」「議事録」等の各項目の中から任意のもの、例えば「会議室メンテナンス」を選択し、図１３の会議室メンテナンス画面２０を表示させて各種タイトルやサブタイトル、コメントなどを入力して「登録ボタン」をクリックすることにより会議室内の各種メンテナンスをおこなうことができる。
【０１１７】
　また「メインメニュー画面」１７の「メインメニューメンテナンス」を選択し、図１２の「メインメニューメンテナンス画面」１８の「お知らせ」を表示させて日付やお知らせの内容を入力し、あるいは「メインメニューメンテナンス画面」１９により「リンク」を表示させて各種のリンク先を入力させることもできる。
【０１１８】
　さらに前記した「メインメニュー画面」１７より「会議室メンテナンス」を選択することにより、図１５の「会議室議事録一覧画面」２２を表示させ、また図１６の会議室議事録検索画面２３を表示させて、カテゴリや検索条件・期間等を選択し、またキーワードを入力することにより会議室内の登録事項の中から絞り込んで必要な情報のみを選択抽出し、さらに必要な部分を印刷によりプリントアウトして会議などでの資料として使用することもできる。　なお図１７にはプリントアウトされた「会議室議事録帳票」の一例があらわされている。
【０１１９】
　さらに画面１７のメインメニュー画面において、「各種集計処理」を選択すると、会議室内に登録された会員からの全ての情報類に関し、各識別符号を頼りに自動編集され、例えば図１８の画面２４にあらわしたように、職業別円グラフで表示され、また図１９の画面２５にあらわしたように年齢別ヒストグラムで表示させたりすることができる。
【０１２０】
　さらに編集された各個別の画面や情報を、登録された会員宛にメーリングリスト機能により電子的に自動送信し、さらにこれに関して各会員の反応を見ることができる。　すなわち主催者側のＷｅｂアプリケーションに備えられたメーリングリスト機能により、前記した編集後の会員情報の一部について、電子的に登録会員宛に送信することができ、送信された会員側において、これに対してさらに主催者側に対して意見や質問あるいは情報を情報を送りたい場合には電子的に社債者側に対して送信することができる。
【０１２１】
　なお上記の実施例は、主催者として行政機関を、また会員として住民（市民）を例にとって行政機関と住民間におけるコミュニケーション手段として用いる場合について説明したが、必ずしもこれに限られるものではなく、このほかにも例えば会社と取引先間、病院と患者間、さらには特定の組合や団体における運営主体と組織会員間、各種学校と生徒間などについても適用することができる。
【０１２２】
　さらにこれらのほかに、書籍・雑誌・新聞等に質問事項と識別記号を印刷する。回答は、ホームページにて印字されたキーとなる識別符合を入力して書籍を見ながら回答を入力してゆく。コンピュータシステムが集計を自動的に行い、リアルタイムで情報を読者に公開することができる。
【０１２３】
　つまり紙のアンケートでは、集計するのに時間がかかる。ＰＣ上のアンケートであれば、ＷＥＢ上でページをめくりながら読みながら入力していくのに大きな労力を要するが、書籍・新聞形式で公開されたアンケートを読んで答えて、それらの答えだけをＷＥＢで入力して集計する、という形にすれば、紙のアンケートの集計の手間、ＷＥＢアンケートの応えにくさの双方の問題点を解決できる。　例えば参考書を見て回答し、あるいは回答をＰＣに入力すれば採点される、などのシステム応用も考えうる。メディアミックスのひとつの形である。
【０１２４】
　書籍・雑誌・新聞等についている固有識別符号をＰＣ上で入力すると、そのページの該当記事内容ないしは要約または題名がＰＣ上で表示されるようにする。具体的には記事に書かれている固有識別符号を入力すると、その記号の範囲の記事内容が表示される。例えば、ページ番号を固有識別符号として使用した場合には、そのページの記事が表示される。それを見て意見を入力することが出来る。単純に固有識別符号を入力して反論記事を書くよりも、ユーザとして使いやすい。後の記事を範囲指定して投稿できる機能とあわせれば、書籍等の記事に対して部分を限定して投稿できるようになる。書籍を読んだ人が固有識別符号を入力して、記事内容を表示させて、さらに表示させた部分から選択して意見を投稿できるのは便利である。
【０１２５】
　また、サーバのＵＲＬをＨＰに貼り付けリンクを張ることにより、そのＨＰを特定して利用者から情報を集める機能（ＣＧＩプログラムの起動しないシステムでも既存のＨＰに対してＵＲＬを貼り付けることにより、手軽に情報蒐集をおこなうことが出来るようになる。　具体鉄器にはホームページの最後にwww.keiziban.jp?x7789eという具合に固有識別符号付きのＵＲＬを入れてホームページを作成する。
【０１２６】
　これをクリックするとコミュニケーションシステムのプログラムがサーバより呼び出されて、固有識別符号毎に情報を蒐集することができる。　プログラムの稼動するサーバを導入しなくてもＡＳＰ方式により気軽に使用することができる。動作原理としてはアクセスカウンターなどと同じ原理である。
【０１２７】
　また主催者側Ｗｅｂアプリケーションサーバーに、ドメインの後に識別符号、例えば「www.keiziban.jp?x7789e」を入力し、そのページに関する入力画面に飛ぶ機能を付加すると、識別符号をドメインの後に入れて、識別符号の示す投稿ボックスに行き着く事ができる。トップページを開いてから、ボックスに識別符号を入力するのではなく、直接ＵＲＬで打ち込んで投稿画面にいけるようにする。この方が利用者からみて便利である。
【０１２８】
　また主催者側Ｗｅｂアプリケーションサーバーに、同義語、反義語、狭義語、広義語、関連語、外国語による検索ができる機能を追加することにより、１語を入力すれば、関係する投稿の一覧を簡潔に表示することができるようになる。　例えば「学校」で検索して同義語「学園」「スクール」「学院」などの他の語句を含む場合でも検索結果として表示され、また「負債」で検索して、反義語「資産」の検索結果が表示される。
【０１２９】
　さらに「学校」で検索して狭義誤「専門学校」「大学」「高校」の検索結果を表示させ、あるいは「専門学校」で検索して広義語「学校」の検索結果を表示させることもできる。　また「ＣＰＵ」で検索して関連後「メモリ」「ＨＤＤ」「ディスプレー」の検索結果が表示される。　「熱い」で検索して外来語「Ｈｏｔ」の検索結果が表示される。　検索するときに今までは何回も検索をかけなければいけなかったが、この機能を追加することにより、１語を入力すれば、関係する投稿の一覧を簡潔に表示することができるようになる。
【０１３０】
　また検索条件毎にポイント点数を利用者が付加するようにもできる。　検索条件からずれる毎に、ポイントが加算されていく。このポイントの合計が予め設定した一定以下であれば検索一覧に表示される機能を組み込むこともできる。　検索したものは昇順・降順で表示することが出来る。　例えば掲示板に投稿した日付で１月２日を指定したときに、指定日付からずれているものでも、「１日ずれることで１ポイント追加」見たいにする。名前と題名で検索したときに、名前が違えばプラス５ポイントとか、条件がずれるごとにポイントを追加してゆく。それで最終的にユーザが指定した条件以下のポイントであれば表示する。この方法で莫大な情報の中から曖昧に情報をピックアップすることができる。具体的な検索では１００％一致しないと検索結果は表示されない。しかし、１００％特定して検索するよりも、多少ずれている物でも表示させたいときもある。その時に、この機能は便利である。
【０１３１】
　さらに検索対象のキーワードの出現個数で検索するようにもできる。また、投稿の文字数（１０００文字以下・５００文字以上）等を指定して検索することができる。一文の文字数の平均、１段落の文字数の平均等でも検索できる。「です・ます」調の文章と「だ。である」調の文章を検索できる。両方が混在している文章を検索から外すこともできる。
【０１３２】
　文法ミスを検索して文法ミスがある文章、日本語としておかしな文章は検索から除外することができる。　例えば「不良債権」が５個以上含まれている文章で探せればあより目的に近い文章にたどり着くことができる。情報量などで検索すればあらかじめ不真面目な投稿を読むことを防ぐことができる。投稿の中で基本的なルールを守れない投稿はあらかじめ除外して読めると便利である。
【０１３３】
　例えば８００文字以上、１０００文字以下で投稿ください、とアナウンスした上で、この条件にはずれた投稿を除外して表示させることができる。特に、短くて「楽しかった」などの一行程度のコメントを読みたくないときに、選別する事が可能である。記事をある程度選別することにより、たくさんの不要な情報を表示させる事がなくなる。
【０１３４】
　さらに掲示板の内容を自動的に他国後ないしは点字、方言などの他の言葉に翻訳することができる。　もし、自動翻訳の内容がおかしければ、ないしはわからないことがあれば、事務局ないし投稿者に問い合わせて、正しい内容に書き換えてもらうように頼むことができる。　翻訳内容はあらかじめ自動翻訳である旨を伝えた上で、使用する。それでも近年、自動翻訳技術は上がっているので、この仕組みを利用すれば多国間の議論が可能になる。日本語での議論を外国人がみることができるようになるのは画期的である。
【０１３５】
　また、外国人の議論を日本人がみることができる。しかし、翻訳は技術が向上しているといえ、１００％正しくは翻訳できない。このような場合でも、見ている人が興味をもった部分だけ原文で読むこともできるし、手動で修正していくこともできる。メリットの大きい機能であると思われる。
【０１３６】
　さらに投稿内の読みの難しい漢字に対して読み仮名をつけることができる。難しい言い回しや専門用語には解説をつけることができる。解決がない場合は、内蔵されている辞書で調べることができる。　投稿内容がわからない場合に、漢字の読みや専門用語の解説を付加することは必要である。わからない言葉の上に、マウスカーソルをもっていってクリックされることにより別ウインドーに言葉の解説が表示される。　さらにわからないときに、自動的に検索して語句の意味を調べてくれると便利である。難しい、論文等には必要な機能であると思われる。
【０１３７】
　さらに共感する記事内容のプロジェクト、記事の投稿者ないしはサーバの管理者に対して、寄付をすることができるようにする。寄付の際は、どの記事に対して寄付をしたのかという事を特定することができる。　単に情報公開を行うだけでなく、素晴らしいプロジェクトや記事に対して寄付を行うことができるようにするこでインセンティブとして機能するようにしたい。文章を書いた人としても、寄付が集めればインセンティブになると思われる。市民が納税先を選択するという、税の選択的納付に際して利用でいる事を念頭においている。すなわち、行政機関がプロジェクトを立案して市民に対して公開する。市民は、選択納税の範囲で、インターネットを通じて納付行為を行う仕組みも想定している。
【０１３８】
　さらに、書籍等に一冊一冊別の識別符号を印刷、または識別符号の印刷されたシールを貼る。　ユーザは、その識別符号をＰＣ上で入力することにより利用者ＩＤの発行することができるシステムである。　一回その識別符号を用いてＩＤを発行すると、記録がサーバに残りその識別符号は使用不能になり、二度目は登録できない。　また、すでにＩＤが登録してある場合、識別符号をＩＤと共に入力することで、その購入したアナログ媒体に対するＷＥＢ情報の利用権を得ることができる。
【０１３９】
　また、購入者に対して既知のベルマーク等と同様にポイントを与える事もできる。購入者はポイントを使用して著者に質問したり、などのサービスを受けることができる。ネット上でサービス代金を決済するためには、クレジットカード決済、銀行決済などをする必要がある。ネット上での課金の難しさが、ネット関係ビジネスが中々成長しない原因になっている。　しかし、書籍等の市販されている物に価格を転嫁して、書籍を購入した人のみネット上でのサービスを受けられるような仕組みを作る事ができると、ネットサービスを希望する人は書店で本を買うことによりネット上でのサービスを受ける権利を買うことができる。
【０１４０】
　銀行振込や、クレジットカードよりも気軽に消費者に受け入れられるのではないか。コミュニケーションシステムをビジネスとして成り立たせていくために考案した課金方法である。このようにして課金して料金を回収していきたい。また、購入者に一定のポイントを与え、その範囲で著者に質問できる仕組みも同様に検討している。コミュニケーションシステムのビジネス化にとって課金は大変重要な問題になる。この仕組みを導入すれば２５０円で販売している書籍に５０円分のインターネット使用料金をあらかじめ付加して３００円で売り出し、購入者のみにインターネット上でのサービスを利用できるようになる。
【０１４１】
　さらに、会員は自らが過去に投稿した情報をＩＤとＰａｓｓｗｏｒｄを入力することにより一覧で表示することができるようにする。また、その内容を表示して修正することができる。その場合に、修正した内容は消えずに、修正履歴として残す事ができる。通常の掲示板は、自らの投稿した記事を削除はできても修正はできない。これでは前後の関係性がわからなくなるためである。しかし、更新履歴を残すことにより前後関係の辻褄をあわせた上で、内容を更新することが可能である。
【０１４２】
　更新前の投稿についていた返事は、更新後にも読むことができる。変更に関してのコメントなども記載することができる。部分部分改定しながら文章を進化させてゆくことができる。通常、文章は改定を重ねながら進化していくもので、この仕組みは自然であると思われる。この仕組みを導入することにより、インターネット上で行われている投稿が随時修正進化可能となり、質的に向上させることができる。
【０１４３】
　 また、電子掲示板に対してブロックに分けて文章を登録することができる。それは段落であってもかまわないし、その他の区分であってもかまわない。会員はその投稿全体に対して返事を書くことができるし、そのブロックを限定して返事を書くこともできる。ひとつの大きな主張、例えば論文などを投稿して議論する場合を想定している。論文を段落ごとにブロックにわけて投稿する。
【０１４４】
その段落ごとにサブタイトルを入れて、意見を投稿できるようにする。これにより、どの部分に対して意見をしているのかということがわかるようになる。　また、ブロック毎に分けて入力を促すことにより、例えば「事実」「方法」「要望」「価値観」を示すブロックというように、投稿内容を属性をわけて投稿することができるようになる。　このことにより「事実」は事実として議論ができ、「価値観」は個人的な価値観として受け止めることができ、事実と本人の価値観を混同せずに議論をすることができる。
【０１４５】
　さらに、画像を添付して掲示板に貼り付ける機能を付加した掲示板とすることもできる。　論文に複数の画像を貼り付けても乱れずに表示できる。画像を左寄せ・中央寄せ・右寄せに選択することが出来る。空いたスペースに文章を入れるか、入れないかを選択することができる。画像の表示の大きさも指定できる。　論文にグラフなどの画像を貼り付ける。画像に対してもブロック同様に意見を投稿できる。この機能により、ビジュアルな表現が可能になる。
【０１４６】
　さらに、動画、ＷＯＲＤやパワーポイント、音楽関係などの添付ファイルを貼り付けることができる。掲示板にワードやパワーポイントなどのデータを貼り付けて共有することができるようにしたものである。この機能により掲示板に音声や動画を貼り付けて、この内容を見たり、聞いたりして、そこから議論をはじめることも可能になる。
【０１４７】
　また、通常の一般ＩＤを登録後に、第三者向けＩＤ（パスワード）を複数個発行することが出来る。これはデータ入力を第三者に依頼する場合に必要となるＩＤである。第三者に依頼するときに、このＩＤとパスワードを教えてあげることによりかわりに投稿をしてもらうことができる。修正は普通にユーザが行うことが出来る。第三者ＩＤでは権限の与えられた範囲で意見の投稿はできるが、個人情報の変更はできない。
【０１４８】
　つまりインターネットを使えない人がＦＡＸや手紙、コールセンターなどを通じて意見を提案する場合に必要となる。第三者向けＩＤを利用して第三者に入力してもらったら、それを第三者入力として表示することも出来るし、普通の一般入力として表示することもできる。修正は、本人及び代理人が行うことができる。これはインターネットを利用できない人がいる事に配慮したものである。もし、本人しか入力できないとなると、利用できない人が出てくる。本人が他人にＩＤを教えて使わせると、個人情報が変更されたりする危険がある。そこで第三者向けに機能を限定したＩＤを発行する機能が必要になるのである。この機能を付与することにより、インターネットを利用できない人でも代理人を立てて、インターネットに対して意見を投稿したりできるようになる。
【０１４９】
　さらに、主催者側ＷＥＢアプリケーションサーバーには掲示板の投稿情報を１日・１週間・１ヶ月などの時間単位ないしは、１０件・１００件などの件数単位でまとめて会員宛にメールで送る機能を組み込むことも可能である。　会員によってはメールを頻繁に受信する事を好ましいと思っていない会員がいます。会員に対して一定の日付・件数で投稿内容を送る事により、より無駄の無い形で情報を受け取ることができる。
【０１５０】
　さらに、掲示板の情報検索結果を印刷する機能を付加することもできる。印刷された掲示板の投稿資料には、投稿毎に識別符号が印字されている。機能検索により出力した情報を印刷して配布することができる。配布した内容には、必ずその投稿を示す識別符号が印字されている。印字されている識別符号を元に、ネット上で該当記事にアクセスすることができる。この機能により、興味ある投稿をビラ形式で配布して意見投稿を呼びかける普及活動を行うことができるようになる。紙での配布ができるのは大きいと思われる。印刷して集会などで配布して議論への参加を呼びかけるなどの活用を検討している。また、連続して複数の意見を印刷することにより資料としても用いることができる。この場合も、資料を見てインターネット上の議論に参加することができるようになる。
【０１５１】
　さらに主催者側ＷＥＢアプリケーションサーバーに、郵便番号を利用して地域別に意見情報を表示する機能を付加してもよい。　例えば福井市で検索すれば、福井市に該当する市町村の検索結果だけが郵便番号を頼りに表示される。また、特定地域の情報の特定分野の情報だけをメールで送ることが出来る機能も付加する。行政関係で使用する場合に、自分の地域の自分の担当する意見だけが集められるようにする為に使用する機能である。
【０１５２】
　さらに、投稿別に投稿者の氏名・年齢・住所を一覧表示する機能を加えても良い。主催者側において掲示板の投稿者の連絡先と投稿内容を一覧することができるようにする。この機能により、有意義な意見や提言をしてくれる人と事務局がコンタクトを取り、交流の輪を広げていくことができる。現在の電子掲示板では発言者と連絡先を事務局側が一覧で表示させることはできない。得られた情報はマーケティングツールとしても活用することができる。
【０１５３】
　さらに、サーバ毎に担当する地域、カテゴリを総括するサーバを準備することができる。例えば、市町村のサーバに蓄積されている情報を都道府県が管理するサーバに手動ないしは自動で転送されるようにする。上位サーバには下位サーバ複数台分の情報が蓄積することができる。移動してきた情報には履歴が入っており、上位サーバに対して修正を加えると転送元のサーバにも履歴が送られて訂正される。会員ＩＤに伴う個人情報は転送される場合と転送されない場合が設定できる。転送されない場合、転送履歴を辿ることが出来る。転送元でＩＤを発行していれば、転送元に問い合わせれば投稿者と連絡をつけることができるようにする。
【０１５４】
　例えば福井市に対して意見が投稿される。しかし、福井市では答えられない場合に福井県に転送する。福井県で答えられなければ国土交通省など国の機関に転送する。組織ごとの転送履歴が残っているので、たらい回しになることが無い。責任の所在を明示する事が可能である。転送にあたっては、あらかじめ市の職員が転送するかしないかを判断する場合と、自動的に検索条件に一致する情報を転送する場合がある。掲示板を管理している責任範囲が明確にわかる事が便利である。サーバ管理者は自分のサーバに関する投稿だけを注意して管理していればいいのである。
【０１５５】
　さらに、主催者が会員が投稿した記事がカテゴリが不適切と判断した場合は、投稿を別カテゴリに移動できるようにすることができる。　移動時には、移動履歴が残る。移動元には移動した旨の履歴が残る。読者が不適切な発言ではないかと、主催者に申し立てることもできる。　投稿者がカテゴリや投稿場所を間違えて投稿する事がありうる。その場合の対処法である。これを行うことにより掲示板が見やすくなる。普通は、カテゴリないに関係の無い投稿が行われても、移動する手段は無い。カテゴリ内の投稿が趣旨を逸脱すると、カテゴリの意味がなくなってしまう。したがって、カテゴリの移動は重要である。非難中傷などの不適切な発言もユーザからの異議申し立てにより削除することができる。
【０１５６】
　さらに、複数のカテゴリ分けを変化させる機能を付加しても良い。ユーザ側と主催者側では取り扱う区分が異なるケースが多々ある、両方が使いやすいカテゴリ分類で投稿を扱うことができるようにする。主催者のカテゴリ区分情報は本部に集めて、本システム導入者に対して標準的なカテゴリを提供する。　例えば役所において使用する場合、担当課単位のカテゴリで取り扱いたいが、しかし、利用者である市民から見ると「住民票登録」などの具体的な内容で意見を登録したい。そのような場合に、住民は、住民のカテゴリで登録して、役所の人は役所の利便性こ顧慮したカテゴリを使うことができる。また、カテゴリを本部で集めておくことにより、カテゴリの標準化を行うことが可能である。これにより主催者と会員との間の効果的なコミュニケーションが可能である。
【０１５７】
　さらに、別カテゴリないしは別団体で議論されていた内容を「ブロック単位」で引用することができるようにもできる。　引用した場合には、引用元に引用先のリンク先の情報が送られる。引用先として表示することができる。（現状で引用は「＞」で行われているが、どこから引用されたのはわかりづらい。特に複数の引用を行う場合は、引用元が特定しづらいのは不便である。この機能により複数の引用を引用先を特定して行うことが可能である。しかも、著作権法上も問題の無い方法である。引用されたということが、引用元にわかるのも便利である。読んでいる文章がどこに引用されて、どういう議論になっているのか一目でわかることができる。
【０１５８】
　さらに、不正に引用されたり、著作権を無視した投稿が不正になされていないか自動チェックする機能を付加することもでくる。　現状では、著作権無視は野放しの状況である。法律厳守の意味でも大切である。同一の文章が正規の手続きを踏まずに使われていないかどうかを調べて、同一の文章がある場合は一覧として表示する。日付を見てどちらが先でどちらが後かを判断することができる。
【０１５９】
　さらに、発言者及び発言順番を指定したり、会員毎に発言できる数を設定することができる。発言者に発言を促すメールを送ることができる。また、一定期間返事が無ければ、自動的に次の返答者に返事が流れるようにする。　この機能を付加することにより、公開討論ないしはディベートをルールを決めて行うことができる。ＡさんＢさんＣさんで議論を行う場合に、あらかじめ投稿順番にメールを送って投稿を促すことにより、討論が実現する。
【０１６０】
　さらに、掲示板の議論に参加して欲しい人に議論の内容を添付してお誘いメールを送ることができる。　相手に参加して欲しい投稿内容を選択して、それに紹介者のコメントをつけて他の人に送信することができる。
【０１６１】
　さらに、投稿内容に対して賛成・反対の投票を行うことができる。時間を区切った投票により、投票結果が一定の条件に一致した場合に、別サーバ・別カテゴリに内容を自動転送することができる。また、特定の人が許可・不許可を選択して転送できる仕組みも用意する。投票一覧・決済一覧はそれぞれの判断者のメールで通知される。　直接、民主主義の実験を行う上で、重要な仕組みである。投票・決済をネット上で行うことにより、さらに転送されることにより、賛成案件のみを次のステップの議論に送ることができる。Ａサーバで決定権を持つ会員の５１％の推薦を得られれば、次のＢサーバに転送してさらに議論するというように利用できる。
【０１６２】
　さらに、検索結果をＰＤＦ形式にて出力するようにしてもよい。　検索結果をアドビー（登録商標）のＰＤＦ形式で出力する機能を付加すると印刷するときに便利である。　さらに、検索結果をＨＴＭＬ形式・ＸＭＬ形式・XHTML形式にて出力するようにしてもよい。検索結果をＨＴＭＬ形式・ＸＭＬ形式・XHTML形式で出力する機能を付加すると、本機能で作成した検索結果を、本機能をインストールしていないＨＰサーバ上で公開することができるようになる。
【０１６３】
　さらに、掲示板の投稿に関して閲覧者数を記録することができる。　閲覧者数事に検索して表示することが出来る。主催者が読者の傾向と反応を知ることができる。　また掲示板に関して管理者ないしは会員が投稿内容を評価できる。会員は特定の人がした評価の高い記事だけを読むことが出来る。また、評価順に表示させることができる。　管理者が独自の判断で興味のある投稿を例えばＡ・Ｂ・Ｃで評価する。ユーザはその評価の記事だけを読むことができる。移動されたものは優先順位を下げて表示する。会員が評価する場合は、○×氏がＡ評価した記事みたいな感じになる。
【０１６４】
　さらに、会員が投稿記事に対して投票して、投票した順番に表示させる機能を組み込んでも良い。　会員が投稿内容に対して興味があれば投票する。投票順に表示させることが出来る。投票は、読み終わった後に、評価入力画面がポップアップするような感じを想定している。　また、ドメインにカテゴリ識別番号を付加したＵＲＬを、ＨＰにリンクする事により、カテゴリに該当する投稿内容が表示される機能を組み込んでも良い。　例えば「www.testtest.com?cate=1456」のように登録すると、その登録が一覧表示される。この機能により、ＨＰの視覚的なデザインの中にシステムを主催者側ＷＥＢコミュニケーションサーバーに組み込むことができる。さらに、事務局側がＨＰの管理を簡単にする事を目的に考えている。自動的に記事内容を追加、更新することができる。ＨＰにリンクすればカテゴリの記事内容が一覧で表示されるのは、ＨＰの管理の上からも便利である。
【０１６５】
　さらに、掲示板の上下スペースに文字列からなる宣伝を主催者側が自動的に挿入する機を組み込んでもよい。　検索エンジンで組織名及び主要キーワードで検索されるために、スペースに宣伝を入れることで宣伝効果があがる。宣伝は文字で入力する。文字で組織名などを入れることにより、検索エンジンでひっかかる数を増やすことができる。
【０１６６】
　さらに、掲示板への投稿内容は、全文表示、ダイジェスト表示、ツリー表示、投稿日時別表示、トップ記事のみ表示などの方法で表示させる機能を組み込むことができる。特にツリー表示では、ブロック毎に返信されたものも含めてビジュアルに表示する。転送先のサーバに蓄積されている流れもツリー形式で議論の流れが見えるようにする。表示に関しては、テンプレートファイルのデザインを読み取る。
【０１６７】
　必要な情報や議論の流れを視覚的に読み取ることが必要となる。そのための表示の方法である。全部表示は腰を据えて読む場合は便利であるが、題名を見て読みたい場合はツリー表示の方が便利である。また、ダイジェストだけ表示して、細かく見たい記事だけクリックして表示できるようにしても、便利である。デザインだけ記録されているテンプレートファイルを読み取って、それに投稿を貼り付けて表示する形にすれば、ユーザが見やすいデザインで簡潔に情報を公開できるようになる。
【０１６８】
　また、主催者側のＷｅｂアプリケーションサーバーには、会員が携帯電話又はプレイステーション等のＰＣ以外の端末、あるいはイントラネット等インターネット以外のローカルなネットワークに置き換えて対応可能とすることも可能である。
【図面の簡単な説明】
【０１６９】
【図１】本発明の一実施例であるウエブコミュニケーションシステムの構成をあらわした説明図。
【図２】住民（市民）向けサブシステム（Ｗｅｂアプリケーション）であるアプリケーションサーバーの一般用メインメニュー画面。
【図３】アプリケーションサーバーの会員登録画面。
【図４】ログイン画面。
【図５】会議室検索画面。
【図６】会議室一覧画面。
【図７】会議室閲覧画面。
【図８】記事内容表示画面。
【図９】会議室新規作成用画面。
【図１０】記事投稿画面。
【図１１】管理者用メインメニュー画面。
【図１２】アプリケーションサーバーのメインメニューメンテナンス画面。
【図１３】会議室メンテナンス画面。
【図１４】会議室議事録画面。
【図１５】会議室議事録一覧画面。
【図１６】会議室議事録検索画面。
【図１７】会議室議事録帳票。
【図１８】集計処理（職業別）画面。
【図１９】集計処理（年齢別）画面。
【符号の説明】
【０１７０】
　　　　１　　　　行政機関内に設置されたコンピュータシステム
　　　　２　　　　一般住民（市民）向けサブシステム（Ｗｅｂアプリケーション）
　　　　３　　　　データベース
　　　　４　　　　データベースサーバー
　　　　５　　　　プリンター
　　　　６　　　　会員である住民（市民）サイド
　　　　７　　　　住民側のパソコン
　　　　８　　　　メインメニュー画面
　　　　９　　　　画面
　　　　１０　　　ログイン画面
　　　　１１　　　会議室検索画面
　　　　１２　　　会議室一覧画面
　　　　１３　　　会議室閲覧画面
　　　　１４　　　記事内容表示画面
　　　　１５　　　会議室新規作成画面
　　　　１６　　　記事投稿画面
　　　　１７　　　画面
　　　　１８　　　画面
　　　　１９　　　画面
　　　　２０　　　会議室メンテナンス画面
　　　　２１　　　画面
　　　　２２　　　会議室議事録一覧画面
　　　　２３　　　会議室議事録検索画面
　　　　２４　　　画面
【図１】
2004094942.tif 000003
【図２】
2004094942.tif 000004
【図３】
2004094942.tif 000005
【図４】
2004094942.tif 000006
【図５】
2004094942.tif 000007
【図６】
2004094942.tif 000008
【図７】
2004094942.tif 000009
【図８】
2004094942.tif 000010
【図９】
2004094942.tif 000011
【図１０】
2004094942.tif 000012
【図１１】
2004094942.tif 000013
【図１２】
2004094942.tif 000014
【図１３】
2004094942.tif 000015
【図１４】
2004094942.tif 000016
【図１５】
2004094942.tif 000017
【図１６】
2004094942.tif 000018
【図１７】
2004094942.tif 000019
【図１８】
2004094942.tif 000020
【図１９】
2004094942.tif 000021